【手続補正書】
【提出日】令和2年4月15日(2020.4.15)
【手続補正１】
【補正対象書類名】明細書
【補正対象項目名】全文
【補正方法】変更
【補正の内容】
【発明の詳細な説明】
【発明の名称】ビーム選択方法、装置およびシステム
【技術分野】
【０００１】
「関連出願の相互参照」
本願は、２０１６年１２月３０日に中国国家知識産権局に出願された、国際出願第ＰＣＴ／ＣＮ２０１６／１１３６８５号の「ビーム選択方法、装置およびシステム」と題するＰＣＴ特許出願の優先権を主張し、当該出願の全体が参照によりここに組み込まれる。
【０００２】
本願の実施例は、通信分野に関し、特にビーム選択方法、装置およびシステムに関する。
【背景技術】
【０００３】
第５世代移動通信（ｔｈｅ  ５ｔｈ  ｇｅｎｅｒａｔｉｏｎ  ｍｏｂｉｌｅ  ｃｏｍｍｕｎｉｃａｔｉｏｎ、５Ｇ）システムは、新無線インタフェース（ｎｅｗ  ｒａｄｉｏ、ＮＲ）システムとも呼ばれ、ビームフォーミングは５Ｇシステムによって導入された重要な技術の１つである。
【０００４】
ビームフォーミングとは、特定の重みを複数の送信アンテナに割り当てることによって複数のアンテナによって送信された信号を重ね合わせ、それによって特定の空間指向性を形成することを指す。５Ｇシステムでは、送信側設備は、異なるビームを介してビーム信号を複数の受信側設備に同時に送信でき、それによって、異なる空間において同じ時間周波数リソースの反復使用を実現し（すなわち、空間分割多重）、システム容量を大幅に拡大する。
【０００５】
これに対応して、５Ｇシステムでは、１つの受信側設備は、送信側設備によって送信された複数のビームを同時に検出することがあり、受信側設備は、送信側設備によって送信されたデータを受信する前に、送信側設備によって送信された複数のビームを別々に測定して、複数のビームから信号品質の高いビームを選択して受信する必要があるが、送信側設備によって送信された複数のビームを別々に測定するプロセスにはより多くの測定時間がかかり、データ受信の高い複雑性および遅延性をもたらしてしまう。
【発明の概要】
【発明が解決しようとする課題】
【０００６】
受信側設備が送信側設備によって送信された複数のビームを別々に測定するプロセスにより多くの測定時間がかかり、データ受信の高い複雑性および遅延性をもたらしてしまうという技術的問題を解決するために、本願の実施例は、ビーム選択方法、装置およびシステムを提供する。技術的解決手段次のとおりである。
【課題を解決するための手段】
【０００７】
本願の実施例の第１の態様にて提供されるビーム選択方法は、
受信側設備が送信側設備によって送信された少なくとも１組のビーム対応情報を受信し、ここで、各組の前記ビーム対応情報が１つの第１のビームと少なくとも１つの第２のビームとの間の対応関係を含むステップと、
前記受信側設備が前記少なくとも１組のビーム対応情報にしたがって、前記送信側設備によって送信された各ビームから受信ビームを選択するステップとを含む。
【０００８】
任意選択的な実施例では、前記第１のビームと前記少なくとも１つの第２のビームとの間の対応関係は、
前記第１のビームのビームＩＤと前記少なくとも１つの第２のビームのビームＩＤとの間の対応関係、および／または、前記第１のビームに対応する物理リソースと前記少なくとも１つの第２のビームのそれぞれに対応する物理リソースとの間の対応関係、および／または、前記第１のビームに対応する基準信号と前記少なくとも１つの第２のビームのそれぞれに対応する基準信号との間の対応関係を含む。
【０００９】
任意選択的な実施例では、前記基準信号は、
対応するビームが伝送したアップリンク物理チャネルに使用される復調基準信号（Ｄｅ  Ｍｏｄｕｌａｔｉｏｎ  Ｒｅｆｅｒｅｎｃｅ  Ｓｉｇｎａｌ、ＤＭＲＳ）、および／または、対応するビームが伝送したアップリンク物理チャネルに使用されるチャネルサウンディング基準信号（Ｓｏｕｎｄｉｎｇ  Ｒｅｆｅｒｅｎｃｅ  Ｓｉｇｎａｌ、ＳＲＳ）を含み、
あるいは、
対応するビームが伝送したダウンリンク物理チャネルに使用される復調基準信号ＤＭＲＳ、および／または、対応するビームのビーム基準信号（ｂｅａｍ  ｓｐｅｃｉｆｉｃ  ＲＳ）、および／または、対応するビームのチャネル状態情報基準信号（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ、ＣＳＩ−ＲＳ）を含む。
【００１０】
任意選択的な実施例では、前記第１のビームと前記少なくとも１つの第２のビームとの間の対応関係はさらに、
前記少なくとも１つの第２のビームに対応する第１の物理チャネル、および、前記第１のビームに対応する第２の物理チャネルを含む。
【００１１】
任意選択的な実施例では、前記受信側設備が前記少なくとも１組のビーム対応情報にしたがって、前記送信側設備によって送信された各ビームから受信ビームを選択するステップは、
前記受信側設備が第２のビームを使用して第１の物理チャネルを受信するとき、前記少なくとも１組のビーム対応情報にしたがって、第２の物理チャネルを受信するためのビームとして、前記第２のビームに対応する第１のビームを選択することを含む。
【００１２】
任意選択的な実施例では、前記受信側設備が、前記少なくとも１組のビーム対応情報にしたがって、前記送信側設備によって送信された各ビームから受信ビームを選択するステップは、
前記受信側設備が第１のビームを使用して第２の物理チャネルで伝送されたシグナリングまたはデータを受信するとき、前記少なくとも１組のビーム対応情報にしたがって、前記第１のビームに対応する少なくとも１つの第２のビームの信号品質を測定することと、
前記受信側設備が、第１の物理チャネルを受信するためのビームとして、前記第１のビームに対応する少なくとも１つの第２のビームのうち最良の信号品質を有する第２のビームを選択することとを含む。
【００１３】
任意選択的な実施例では、前記第１の物理チャネルはダウンリンクデータチャネルで、前記第２の物理チャネルはダウンリンク制御チャネルであり、あるいは、前記第１の物理チャネルはアップリンクデータチャネルで、前記第２の物理チャネルはアップリンク制御チャネルである。
【００１４】
任意選択的な実施例では、前記受信側設備が送信側設備によって送信された少なくとも１組のビーム対応情報を受信するステップは、前記受信側設備が、前記送信側設備から専用シグナリングまたはブロードキャストシグナリングを介して送信された前記少なくとも１組のビーム対応情報を受信することを含む。
【００１５】
任意選択的な実施例では、前記受信側設備は端末で、前記送信側設備はアクセスネットワーク設備であり、あるいは、前記受信側設備はアクセスネットワーク設備で、前記送信側設備は端末である。
【００１６】
本願の実施例の第２の態様にて提供されるビーム選択方法は、
送信側設備が少なくとも１組のビーム対応情報を生成し、ここで、各組の前記ビーム対応情報が１つの第１のビームと少なくとも１つの第２のビームとの間の対応関係を含むステップと、
受信側設備が前記少なくとも１組のビーム対応情報にしたがって、前記送信側設備によって送信された各ビームから受信ビームを選択するように、前記送信側設備が前記受信側設備に前記少なくとも１組のビーム情報を送信するステップとを含む。
【００１７】
任意選択的な実施例では、前記第１のビームと前記少なくとも１つの第２のビームとの間の対応関係は、
前記第１のビームのビームＩＤと前記少なくとも１つの第２のビームのビームＩＤとの間の対応関係、および／または、前記第１のビームに対応する物理リソースと前記少なくとも１つの第２のビームのそれぞれに対応する物理リソースとの間の対応関係、および／または、前記第１のビームに対応する基準信号と前記少なくとも１つの第２のビームのそれぞれに対応する基準信号との間の対応関係を含む。
【００１８】
任意選択的な実施例では、前記基準信号は、
対応するビームが伝送したアップリンク物理チャネルに使用される復調基準信号ＤＭＲＳ、および／または、対応するビームが伝送したアップリンク物理チャネルに使用されるチャネルサウンディング基準信号ＳＲＳを含み、
あるいは、
対応するビームが伝送したダウンリンク物理チャネルに使用される復調基準信号ＤＭＲＳ、および／または、対応するビームのビーム基準信号ｂｅａｍ  ｓｐｅｃｉｆｉｃ  ＲＳ、および／または、対応するビームのチャネル状態情報基準信号ＣＳＩ−ＲＳを含む。
【００１９】
任意選択的な実施例では、前記第１のビームと前記少なくとも１つの第２のビームとの間の対応関係はさらに、
前記少なくとも１つの第２のビームに対応する第１の物理チャネル、および、前記第１のビームに対応する第２の物理チャネルを含む。
【００２０】
任意選択的な実施例では、前記第１の物理チャネルはダウンリンクデータチャネルで、前記第２の物理チャネルはダウンリンク制御チャネルであり、あるいは、前記第１の物理チャネルはアップリンクデータチャネルで、前記第２の物理チャネルはアップリンク制御チャネルである。
【００２１】
任意選択的な実施例では、前記送信側設備が受信側設備に前記少なくとも１組のビーム情報を送信するステップは、
前記送信側設備が専用シグナリングまたはブロードキャストシグナリングを介して前記受信側設備に前記少なくとも１組のビーム対応情報を送信することを含む。
【００２２】
任意選択的な実施例では、前記受信側設備は端末で、前記送信側設備はアクセスネットワーク設備であり、あるいは、前記受信側設備はアクセスネットワーク設備で、前記送信側設備は端末である。
【００２３】
本願の実施例の第３の態様にて提供されるビーム選択方法は、
受信側設備が送信側設備によって送信された少なくとも１組のビーム対応情報を受信し、ここで、各組の前記ビーム対応情報が、第１の信号が位置するビームと第２の信号が位置するビームとの間の対応関係を含むステップと、
前記受信側設備が前記少なくとも１組のビーム対応情報にしたがって、前記送信側設備によって送信された各ビームから受信ビームを選択するステップとを含む。
【００２４】
任意選択的な実施例では、前記第１の信号が位置するビームは、第２の信号が位置するビームと同じビームである。
【００２５】
任意選択的な実施例では、前記受信側設備が送信側設備によって送信された少なくとも１組のビーム対応情報を受信するステップは、
前記受信側設備が前記送信側設備によって送信された疑似コロケーションパラメータを受信し、前記疑似コロケーションパラメータによって示される前記少なくとも１組のビーム対応情報を取得すること、
あるいは、
前記受信側設備が前記送信側設備から専用シグナリングを介して送信された前記少なくとも１組のビーム対応情報を受信することを含む。
【００２６】
任意選択的な実施例では、前記第１の信号は同期信号ブロック（Ｓｙｎｃｈｒｏｎｉｚａｔｉｏｎ  Ｓｉｇｎａｌ  ｂｌｏｃｋ、ＳＳ  ｂｌｏｃｋ）であり、前記第２の信号はページング信号、チャネル状態情報基準信号ＣＳＩ−ＲＳ、および復調基準信号ＤＭＲＳのうちの少なくとも１つを含む。
【００２７】
任意選択的な実施例では、前記第２の信号がチャネル状態情報基準信号ＣＳＩ−ＲＳを含む場合に、前記対応関係は、
ＳＳ  ｂｌｏｃｋとＣＳＩ−ＲＳリソースとの間の対応関係、
および／または、ＳＳ  ｂｌｏｃｋとＣＳＩ−ＲＳポートとの間の対応関係を含む。
【００２８】
任意選択的な実施例では、前記第２の信号が復調基準信号ＤＭＲＳを含む場合に、前記対応関係は、
ＳＳ  ｂｌｏｃｋとＤＭＲＳポートまたはポートセットとの間の対応関係を含む。
【００２９】
任意選択的な実施例では、前記受信側設備が、前記少なくとも１組のビーム対応情報にしたがって、前記送信側設備によって送信された各ビームから受信ビームを選択するステップは、
前記受信側設備が、前記各ビームの第１の信号を測定することによって得られた前記各ビームのそれぞれの信号品質を取得することと、
前記受信側設備が、前記少なくとも１組のビーム対応情報にしたがって、前記各ビームのうち最良の信号品質を有するビームの第１の信号に対応する第２の信号を問い合わせることと、
前記受信側設備が、前記最良の信号品質を有するビームの第１の信号に対応する第２の信号を受信するためのビームとして、前記最良の信号品質を有するビームを選択することとを含む。
【００３０】
本願の実施例の第４の態様にて提供されるビーム選択方法は、
送信側設備が少なくとも１組のビーム対応情報を生成し、ここで、各組の前記ビーム対応情報が、第１の信号が位置するビームと第２の信号が位置するビームとの間の対応関係を含むステップと、
受信側設備が前記少なくとも１組のビーム対応情報にしたがって、前記送信側設備によって送信された各ビームから受信ビームを選択するように、前記送信側設備が前記受信側設備に前記少なくとも１組のビーム対応情報を送信するステップとを含む。
【００３１】
任意選択的な実施例では、前記第１の信号が位置するビームは、第２の信号が位置するビームと同じビームである。
【００３２】
任意選択的な実施例では、前記送信側設備が受信側設備に前記少なくとも１組のビーム対応情報を送信するステップは、
前記送信側設備が前記受信側設備に前記少なくとも１組のビーム対応情報を示すための疑似コロケーションパラメータを送信すること、
あるいは、
前記送信側設備が前記受信側設備に前記少なくとも１組のビーム対応情報を含む専用シグナリングを送信することを含む。
【００３３】
任意選択的な実施例では、前記第１の信号は同期信号ブロックＳＳ  ｂｌｏｃｋであり、前記第２の信号はページング信号、チャネル状態情報基準信号ＣＳＩ−ＲＳ、および復調基準信号ＤＭＲＳのうちの少なくとも１つを含む。
【００３４】
任意選択的な実施例では、前記第２の信号がチャネル状態情報基準信号ＣＳＩ−ＲＳを含む場合に、前記対応関係は、
ＳＳ  ｂｌｏｃｋとＣＳＩ−ＲＳリソースとの間の対応関係、
および／または、ＳＳ  ｂｌｏｃｋとＣＳＩ−ＲＳポートとの間の対応関係を含む。
【００３５】
任意選択的な実施例では、前記第２の信号が復調基準信号ＤＭＲＳを含む場合に、前記対応関係は、
ＳＳ  ｂｌｏｃｋとＤＭＲＳポートまたはポートセットとの間の対応関係を含む。
【００３６】
本願の実施例の第５の態様にて提供されるビーム選択装置は、少なくとも１つのユニットを含み、該少なくとも１つのユニットは、上記の第１の態様または第１の態様の任意選択的な実施形態によって提供されるビーム選択方法を実現するために用いられる。
【００３７】
本願の実施例の第６の態様にて提供されるビーム選択装置は、少なくとも１つのユニットを含み、該少なくとも１つのユニットは、上記の第２の態様または第２の態様の任意選択的な実施形態によって提供されるビーム選択方法を実現するために用いられる。
【００３８】
本願の実施例の第７の態様にて提供されるビーム選択装置は、少なくとも１つのユニットを含み、該少なくとも１つのユニットは、上記の第３の態様または第３の態様の任意選択的な実施形態によって提供されるビーム選択方法を実現するために用いられる。
【００３９】
本願の実施例の第８の態様にて提供されるビーム選択装置は、少なくとも１つのユニットを含み、該少なくとも１つのユニットは、上記の第４の態様または第４の態様の任意選択的な実施形態によって提供されるビーム選択方法を実現するために用いられる。
【００４０】
本願の実施例の第９の態様にて提供される受信側設備は、プロセッサと、メモリと、送信機と、受信機とを含み、前記プロセッサは、前記プロセッサによって実行されるように指示されている１つまたは１つ以上の命令を記憶するために用いられ、前記プロセッサは、上記の第１の態様または第１の態様の任意選択的な実施形態によって提供されるビーム選択方法を実現するために用いられ、あるいは、前記プロセッサは、上記の第３の態様または第３の態様の任意選択的な実施形態によって提供されるビーム選択方法を実現するために用いられ、前記受信機は、ビーム対応情報を受信するために用いられる。
【００４１】
本願の実施例の第１０の態様にて提供される送信側設備は、プロセッサと、メモリと、送信機と、受信機とを含み、前記プロセッサは、前記プロセッサによって実行されるように指示されている１つまたは１つ以上の命令を記憶するために用いられ、前記プロセッサは、上記の第２の態様または第２の態様の任意選択的な実施形態によって提供されるビーム選択方法を実現するために用いられ、あるいは、前記プロセッサは、上記の第４の態様または第４の態様の任意選択的な実施形態によって提供されるビーム選択方法を実現するために用いられ、前記送信機は、ビーム対応情報を送信するために用いられる。
【００４２】
本願の実施例の第１１の態様にて提供されるコンピュータ可読媒体は、１つまたは１つ以上の命令を記憶し、前記命令は、上記の第１の態様または第１の態様の任意選択的な実施形態によって提供されるビーム選択方法を実現するために用いられ、あるいは、前記命令は、上記の第２の態様または第２の態様の任意選択的な実施形態によって提供されるビーム選択方法を実現するために用いられ、あるいは、前記命令は、上記の第３の態様または第３の態様の任意選択的な実施形態によって提供されるビーム選択方法を実現するために用いられ、あるいは、前記命令は、上記の第４の態様または第４の態様の任意選択的な実施形態によって提供されるビーム選択方法を実現するために用いられる。
【００４３】
本願の実施例の第１２の態様にて提供されるビーム選択システムは、受信側設備と、送信側設備とを含んでもよい。ここで、該受信側設備は、上記の第５の態様にて提供されるビーム選択装置を含む設備でもよく、送信側設備は、上記の第６の態様にて提供されるビーム選択装置を含む設備でもよく、あるいは、前記受信側設備は、上記の第７の態様にて提供されるビーム選択装置を含む設備でもよく、送信側設備は、上記の第８の態様にて提供されるビーム選択装置を含む設備でもよい。
【００４４】
本願の実施例の第１３の態様にて提供されるビーム選択システムは、上記の第１０の態様にて提供される受信側設備と、上記の第１１の態様にて提供される送信側設備とを含んでもよい。
【発明の効果】
【００４５】
本願の実施例にて提供される技術的解決手段の有益な効果は次のとおりである。
送信側設備は、第１のビームと第２のビームとの間の対応関係を受信側設備に送信し、受信側設備は、送信側設備によって送信されたデータを受信するプロセスにおいて、該第１のビームと第２のビームとの間の対応関係にしたがって、送信側設備によって送信された各ビームから受信ビームを迅速に選択でき、データ受信プロセスにおいてビームの信号品質を測定するステップまたは回数を減らし、それによってビーム測定にかかる時間を減らし、受信側設備のビーム測定および選択のプロセスを加速し、データ受信の複雑さを単純化し、そしてデータ受信の遅延を減少させる。
【図面の簡単な説明】
【００４６】
本願の実施例における技術的解決手段をより明確に説明するために、以下で実施例の説明に使用する図面について簡単に説明するが、以下の説明における図面は本願のいくつかの実施例に過ぎないことは明らかであり、当業者にとって、創造的な努力を必要とせずに、これらの図面に基づいて他の図面を得ることができる。
【図１】本願の一実施例にて提供される移動通信システムを示す概略構造図である。
【図２】本願の一実施例にて提供されるビームを示す概略図である。
【図３】本願の一実施例にて提供されるビームを示す概略図である。
【図４】本願の一実施例にて提供されるビーム選択方法を示す方法フローチャートである。
【図５】本願の一実施例にて提供されるビーム選択方法を示す方法フローチャートである。
【図６】本願の一実施例にて提供されるビーム選択方法を示す方法フローチャートである。
【図７】本願の一実施例にて提供されるビーム選択方法を示す方法フローチャートである。
【図８】本願の一実施例にて提供されるビーム選択方法を示す方法フローチャートである。
【図９】本願の一実施例にて提供されるビーム選択方法を示す方法フローチャートである。
【図１０】本願の一実施例にて提供されるビーム選択方法を示す方法フローチャートである。
【図１１】本願の一実施例にて提供されるビーム選択方法を示す方法フローチャートである。
【図１２】本願の一実施例にて提供されるビーム選択方法を示す方法フローチャートである。
【図１３】本願の他の実施例にて提供されるビーム選択装置の構造を示すブロック図である。
【図１４】本願の他の実施例にて提供されるビーム選択装置の構造を示すブロック図である。
【図１５】本願の他の実施例にて提供される受信側設備の構造を示すブロック図である。
【図１６】本願の他の実施例にて提供される送信側設備の構造を示すブロック図である。
【発明を実施するための形態】
【００４７】
本願の目的、技術的解決手段および利点をより明らかにするために、以下、図面を参照しながら本願の実施形態についてさらに詳細に説明する。
【００４８】
本明細書で言及される「モジュール」とは、一般に、メモリに記憶され、特定の機能を実現できるプログラムまたは命令を指し、本明細書で言及される「ユニット」とは、一般に、論理的に分割される機能構造を指し、そして該「ユニット」は純粋なハードウェアで実現されてもよく、あるいは、ハードウェアとソフトウェアの組み合わせで実現されてもよい。
【００４９】
本明細書で言及される「複数」は、２つまたは２つ以上を意味する。関連付けられたオブジェクトの関連付け関係を表す「および／または」は３つの関連付け関係があり得ることを示し、例えば、Ａおよび／またはＢは、Ａが単独で存在し、ＡとＢが同時に存在し、Ｂが単独で存在するという３つのケースがあることを示し得る。文字「／」は、一般に、文脈上の関連付けられたオブジェクトが「または」の関係であることを示す。
【００５０】
本願の一実施例にて提供される移動通信システムを示す概略構造図である図１を参照されたい。該移動通信システムは、ＮＲシステムとも呼ばれる５Ｇシステムとしてもよい。該移動通信システムは、アクセスネットワーク設備１２０と端末１４０とを含む。
【００５１】
アクセスネットワーク設備１２０は、基地局としてもよい。例えば、基地局は、５Ｇシステムにおいて集中分散型アーキテクチャを採用する基地局（ｇＮＢ）でもよい。アクセスネットワーク設備１２０が集中分散型アーキテクチャを採用するとき、それは一般に、中央ユニット（ｃｅｎｔｒａｌ  ｕｎｉｔ、ＣＵ）と少なくとも２つの分散ユニット（ｄｉｓｔｒｉｂｕｔｅｄ  ｕｎｉｔ、ＤＵ）とを含む。中央ユニット内にパケットデータコンバージェンスプロトコル（Ｐａｃｋｅｔ  Ｄａｔａ  Ｃｏｎｖｅｒｇｅｎｃｅ  Ｐｒｏｔｏｃｏｌ、ＰＤＣＰ）層、無線リンク制御（Ｒａｄｉｏ  Ｌｉｎｋ  Ｃｏｎｔｒｏｌ、ＲＬＣ）プロトコル層、およびメディアアクセス制御（Ｍｅｄｉａ  Ａｃｃｅｓｓ  Ｃｏｎｔｒｏｌ、ＭＡＣ）層のプロトコルスタックが設置されている。分散ユニット内に物理（Ｐｈｙｓｉｃａｌ、ＰＨＹ）層プロトコルスタックが設置されており、アクセスネットワーク設備１２０の具体的な実現方式は本願の実施例において限定されない。
【００５２】
アクセスネットワーク設備１２０と端末１４０は、無線インタフェースを介して無線接続を確立する。１つの実施例において、該無線インタフェースは、第５世代移動通信ネットワーク技術（５Ｇ）規格に基づく無線インタフェースであり、例えば、該無線インタフェースは新無線インタフェース（Ｎｅｗ  Ｒａｄｉｏ、ＮＲ）であり、あるいは、該無線インタフェースは５Ｇの次世代の移動通信ネットワーク技術規格に基づく無線インタフェースである。
【００５３】
端末１４０は、音声および／またはデータ接続性をユーザに提供する設備でもよい。端末は、無線アクセスネットワーク（Ｒａｄｉｏ  Ａｃｃｅｓｓ  Ｎｅｔｗｏｒｋ、ＲＡＮ）を介して１つまたは複数のコアネットワークと通信でき、端末１４０は、携帯電話（または「セルラー」電話と呼ばれる）などの移動端末および移動端末を有するコンピュータとしてもよく、例えば、携帯型、ポケット型、ハンドヘルド型、コンピュータ内蔵型、または車載用の移動装置としてもよい。例えば、加入者ユニット（Ｓｕｂｓｃｒｉｂｅｒ  Ｕｎｉｔ）、加入者局（Ｓｕｂｓｃｒｉｂｅｒ  Ｓｔａｔｉｏｎ）、モバイルステーション（Ｍｏｂｉｌｅ  Ｓｔａｔｉｏｎ）、モバイル（Ｍｏｂｉｌｅ）、リモートステーション（Ｒｅｍｏｔｅ  Ｓｔａｔｉｏｎ）、アクセスポイント（Ａｃｃｅｓｓ  Ｐｏｉｎｔ）、リモート端末（Ｒｅｍｏｔｅ  Ｔｅｒｍｉｎａｌ）、アクセス端末（Ａｃｃｅｓｓ  Ｔｅｒｍｉｎａｌ）、ユーザ装置（Ｕｓｅｒ  Ｔｅｒｍｉｎａｌ）、ユーザエージェント（Ｕｓｅｒ  Ａｇｅｎｔ）、ユーザ設備（Ｕｓｅｒ  Ｄｅｖｉｃｅ）、またはユーザ端末（Ｕｓｅｒ  Ｅｑｕｉｐｍｅｎｔ）である。
【００５４】
なお、図１に示される移動通信システムでは、複数のアクセスネットワーク設備１２０および／または複数の端末１４０が含まれていてもよく、図１には、１つのアクセスネットワーク設備１２０および１つの端末１４０の例を示して説明するが、本実施例はこれに限定されない。
【００５５】
５Ｇシステムでは、送信側設備はビームを介して特定の方向における受信側設備にデータを送信できる。ここで、送信側設備は、上記の図１に示される移動通信システムにおけるアクセスネットワーク設備１２０でもよく、受信側設備は、端末１４０でもよく、このとき、送信側設備から受信側設備に送信されるビームは、ダウンリンクビームと呼ばれてもよく、あるいは、送信側設備は、上記の図１に示される移動通信システムにおける端末１４０でもよく、受信側設備は、アクセスネットワーク設備１２０でもよく、このとき、送信側設備から受信側設備に送信されたビームは、アップリンクビームと呼ばれてもよい。
【００５６】
送信側設備によって送信される異なるビームの幅は異なっていてもよい。例えば、本願の実施例において、送信側設備によって送信されるビームは第１のビームと第２のビームに分けられてもよい。１つの実施例において、１つの第１のビームが少なくとも１つの第２のビームをカバーする。
【００５７】
本願に示される解決策では、第１のビームが少なくとも１つの第２のビームをカバーすることは、第１のビームが少なくとも１つの第２のビームを空間的にカバーし、あるいは、少なくとも１つの第２のビームのカバー範囲が第１のビームのカバー範囲内にあることをいう。ここで、いくつかのシナリオでは、第１のビームはワイドビームと呼ばれ、第２のビームはナロービームと呼ばれてもよく、あるいは、第１のビームはラージビームと呼ばれ、第２のビームはスモールビームと呼ばれてもよく、第１のビームと第２のビームの具体的な命名は、本願の実施例では限定されない。
【００５８】
ここで、異なる種類のビームは異なる物理チャネルを伝送できる。例えば、第２のビームは、データチャネルを伝送するために用いられてもよく、これによりデータチャネルの伝送に使用されるビームの数が多くなり、空間分割多重化がよりよく実現され、システム容量が改善され、第１のビームは共通チャネルまたは制御チャネルを伝送するために用いられてもよく、それによって共通チャネルまたは制御チャネルのカバレッジを拡大する。当然のことながら、本願の実施例は、異なる種類のビームによって伝送される物理チャネルを制限せず、例えば、実際の応用では、第１のビームはデータチャネルを伝送するために用いられてもよく、第２のビームは共通チャネルまたは制御チャネルを伝送するために用いられてもよい。他の可能な実施方法では、上記の第１のビームが特定の物理チャネルに対応しなくてもよい。
【００５９】
具体的には、本願の実施例にて提供されるビームを示す概略図である図２を参照されたい。図２に示すとおり、送信側設備は、ビーム１からビーム６までの６つのビームを送信し、ここで、ビーム１からビーム４までは、第２のビーム、すなわちナロービームであり、ビーム５およびビーム６は、第１のビーム、すなわちワイドビームである。また、ビーム５は、ビーム１およびビーム２をカバーし、ビーム６は、ビーム３およびビーム４をカバーする。ここで、送信側設備は、ビーム１からビーム４を介してデータチャネルのデータを送信し、かつ、ビーム５およびビーム６を介して制御チャネルのデータを送信してもよい。
【００６０】
図２に示される概略図は、送信側設備が６つのビームを送信し、かつ、１つの第１のビームが２つの第２のビームをカバーすることを例として説明する図面であり、実際の応用では、送信側設備によって送信されるビームの数は６つに限定されず、かつ、１つの第１のビームによってカバーされる第２のビームの数も２つに限定されず、すなわち送信側設備によって送信されるビームの数はより多くても少なくてもよく、１つの第１のビームによってカバーされる第２のビームの数はより多くても少なくてもよい。例えば、本願の一実施例にて提供されるビームを示す概略図である図３を参照されたい。図３に示すとおり、送信側設備は、ビーム１からビーム１２までの１２つのビームを送信し、ここで、ビーム１からビーム９までは、第２のビーム、すなわちナロービームであり、ビーム１０からビーム１２までは、第１のビーム、すなわちワイドビームである。また、ビーム１０は、ビーム１からビーム３までをカバーし、ビーム１１は、ビーム４からビーム６までをカバーし、ビーム１２は、ビーム７からビーム９までをカバーする。
【００６１】
本願の一実施例にて提供されるビーム選択方法を示す方法フローチャートである図４を参照されたい。本実施例は、図１に示される移動通信システムにビーム選択方法を適用することを例として説明する。該方法は、ステップ４０１〜ステップ４０４を含む。
【００６２】
ステップ４０１において、送信側設備が少なくとも１組のビーム対応情報を生成し、ここで、各組のビーム対応情報が１つの第１のビームと少なくとも１つの第２のビームとの間の対応関係を含む。
【００６３】
ここで、第１のビームおよび第２のビームは送信側設備によって送信されたビームでもよく、かつ、第１のビームは対応する少なくとも１つの第２のビームをカバーする。
【００６４】
１つの実施例において、ビーム対応情報を生成する際、送信側設備は、自身が送信する第１のビームと第２のビームとの間のカバレッジ関係にしたがってビーム対応情報を生成し、すなわち第１のビームと第１のビームによってカバーされる少なくとも１つの第２のビームとの間の対応関係を生成する。
【００６５】
例えば、図２を例として、図２において、ビーム５がビーム１およびビーム２をカバーし、ビーム６がビーム３およびビーム４をカバーし、送信側設備は、ビーム５とビーム１およびビーム２との間の対応関係を１組のビーム対応情報として生成し、またビーム６とビーム３およびビーム４との間の対応関係をもう１組のビーム対応情報として生成することができる。
【００６６】
あるいは、図３を例として、図３において、ビーム１０がビーム１からビーム３までをカバーし、ビーム１１がビーム４からビーム６までをカバーし、ビーム１２がビーム７からビーム９までをカバーし、送信側設備は、ビーム１０とビーム１からビーム３との間の対応関係を１組のビーム対応情報として生成し、ビーム１１とビーム４からビーム６との間の対応関係をもう１組のビーム対応情報として生成し、またビーム１２とビーム７からビーム９との間の対応関係をもう１組のビーム対応情報として生成することができる。
【００６７】
本願の実施例では、１組のビーム対応情報における第１のビームと少なくとも１つの第２のビームとの間の対応関係は、明示的な対応関係または暗黙的な対応関係のいずれでもよい。
【００６８】
ここで、明示的な対応関係は、第１のビームと少なくとも１つの第２のビームのビームＩＤ（ｂｅａｍ  ＩＤ）との間の対応関係でもよい。
【００６９】
あるいは、上記の暗黙的な対応関係は、第１のビームに対応する物理リソースと少なくとも１つの第２のビームのそれぞれに対応する物理リソースとの間の対応関係である。ここで、上記の物理リソースは、時間領域リソース、周波数領域リソース、および符号領域リソースのうちの少なくとも１つでもよい。
【００７０】
および／または、上記の暗黙的な対応関係は、第１のビームに対応する基準信号と少なくとも１つの第２のビームのそれぞれに対応する基準信号との間の対応関係である。
【００７１】
および／または、上記の暗黙的な対応関係は、第１のビームに対応する物理リソースと少なくとも１つの第２のビームのそれぞれに対応する基準信号との間の対応関係である。
【００７２】
および／または、上記の暗黙的な対応関係は、第１のビームに対応する基準信号と少なくとも１つの第２のビームのそれぞれに対応する物理リソースとの間の対応関係である。
【００７３】
当然のことながら、実際の応用では、１組のビーム対応情報における第１のビームと少なくとも１つの第２のビームとの間の対応関係は、上記の明示的な対応関係と暗黙的な対応関係を同時に含んでもよい。言い換えれば、１組の対応関係について、明示的な対応関係および暗黙的な対応関係の両方で指示がなされる。
【００７４】
本願の実施例では、第１のビームおよび第２のビームがそれぞれ異なる物理チャネルを伝送するために用いられるとき、上記の第１のビームと少なくとも１つの第２のビームとの間の対応関係は、少なくとも１つの第２のビームに対応する第１の物理チャネル、および第１のビームに対応する第２の物理チャネルをさらに含む。
【００７５】
具体的には、上記の第１のビームと少なくとも１つの第２のビームとの間の対応関係は、少なくとも１つの第２のビームに対応する第１の物理チャネルの識別子、および第１のビームに対応する第２の物理チャネルの識別子を含む。
【００７６】
あるいは、上記の第１のビームと少なくとも１つの第２のビームとの間の対応関係は、少なくとも１つの第２のビームに対応する第１の物理チャネルのチャネルタイプ、および第１のビームに対応する第２の物理チャネルのチャネルタイプを含む。
【００７７】
例えば、第２のビームがデータチャネルを伝送するために用いられ、第１のビームが制御チャネルを伝送するために用いられることを例として、上記の第１のビームおよび第２のビームがダウンリンクビームであり、例えば送信側設備がアクセスネットワーク設備であり、受信側設備が端末である場合、第１の物理チャネルがダウンリンクデータチャネルであり、第２の物理チャネルがダウンリンク制御チャネルである。それに対応して、上記の第１のビームおよび第２のビームがアップリンクビームであり、例えば送信側設備が端末であり、受信側設備がアクセスネットワーク設備である場合、第１の物理チャネルがアップリンクデータチャネルであり、第２の物理チャネルがアップリンク制御チャネルであり、送信側設備は、ビーム対応情報を用いて、第１のビームに対応する物理チャネルおよび第２のビームに対応する物理チャネルを受信側設備に示す。
【００７８】
１つの実施例において、上記の第１のビームおよび第２のビームがアップリンクビームである場合、上記の暗黙的な対応関係に使用される基準信号は、対応するビームが伝送したアップリンク物理チャネルに使用されるＤＭＲＳ、および／または、対応するビームが伝送したアップリンク物理チャネルに使用されるＳＲＳを含む。
【００７９】
あるいは、上記の第１のビームおよび第２のビームがダウンリンクビームである場合、上記の暗黙的な対応関係に使用される基準信号は、対応するビームが伝送したダウンリンク物理チャネルに使用されるＤＭＲＳ、および／または、対応するビームのｂｅａｍ  ｓｐｅｃｉｆｉｃ  ＲＳ、および／または、対応するビームのＣＳＩ−ＲＳを含む。
【００８０】
実際の応用では、暗黙的な対応関係に使用される基準信号は、上記のＤＭＲＳ、ＳＲＳ、ｂｅａｍ  ｓｐｅｃｉｆｉｃ  ＲＳおよびＣＳＩ−ＲＳこれらの４種類に限定されず、送信側設備はまた、実際の使用シナリオにしたがって他の基準信号を選択して第１のビームと第２のビームとの間の対応関係を示してもよい。また、これらの基準信号は、同じまたは類似のパイロット機能を有するが異なる名称を有する他の基準信号によって置き換えられてもよい。
【００８１】
ステップ４０２において、送信側設備が受信側設備に少なくとも１組のビーム対応情報を送信する。
【００８２】
１つの実施例において、送信側設備は、専用シグナリングまたはブロードキャストシグナリングを介して該少なくとも１組のビーム対応情報を送信する。例えば、送信側設備がアクセスネットワーク設備である場合、送信側設備は、専用シグナリングまたはブロードキャストシグナリングを介して該少なくとも１組のビーム対応情報を送信でき、送信側設備が端末である場合、送信側設備は、専用シグナリングによって該少なくとも１組のビーム対応情報を送信することができる。
【００８３】
ここで、上記の専用シグナリングは、無線リソース制御（Ｒａｄｉｏ  Ｒｅｓｏｕｒｃｅ  Ｃｏｎｔｒｏｌ、ＲＲＣ）シグナリングなどのシグナリングでもよく、上記のブロードキャストシグナリングは、システム情報ブロードキャストなどのシグナリングであってもよい。
【００８４】
ステップ４０３において、受信側設備が送信側設備によって送信された少なくとも１組のビーム対応情報を受信する。
【００８５】
それに対応して、受信側設備は、送信側設備から専用シグナリングまたはブロードキャストシグナリングを介して送信された該少なくとも１組のビーム対応情報を受信する。例えば、送信側設備がアクセスネットワーク設備である場合、受信側設備は、専用シグナリングまたはブロードキャストシグナリングを介して該少なくとも１組のビーム対応情報を受信でき、送信側設備が端末である場合、受信側設備は、専用シグナリングによって該少なくとも１組のビーム対応情報を受信することができる。
【００８６】
ステップ４０４において、受信側設備が少なくとも１組のビーム対応情報にしたがって、送信側設備によって送信された各ビームから受信ビームを選択する。
【００８７】
本願の実施例では、あるビームを受信することは、該ビームを介して伝送された物理チャネルにおけるデータまたはシグナリングを受信することを意味してもよく、それに対応して、以下で言及するあるチャネルを受信することは、該チャネルにおけるデータまたはシグナリングを受信することを意味してもよい。
【００８８】
本願の実施例では、受信側設備が少なくとも１組のビーム対応情報にしたがって、送信側設備によって送信された各ビームから受信ビームを選択するシナリオは、以下の３つのタイプを含んでもよいが、それらに限定されない。
第１に、受信側設備が第２のビームを用いて第１の物理チャネルを受信する場合、少なくとも１組のビーム対応情報にしたがって、該第２のビームに対応する第１のビームを第２の物理チャネルを受信するためのビームとして選択してもよい。
例えば、第１のビームが制御チャネルを伝送するために用いられ、第２のビームがデータチャネルを伝送するために用いられることを例として、受信側設備が１つの第２のビームを介してデータチャネルを受信しているとき、受信側設備が制御チャネルを受信する必要がある場合、受信したビーム対応情報にしたがって該第２のビームに対応する第１のビームを迅速に選択でき、送信側設備によって送信された各第１のビームを別々に測定する必要がなく、それによってデータ受信中においてビームの信号品質を測定するステップを減らす。
第２に、受信側設備が第１のビームを用いて第２の物理チャネルを受信する場合、少なくとも１組のビーム対応情報にしたがって、該第１のビームに対応する少なくとも１つの第２のビームの信号品質を測定し、また第１の物理チャネルを受信するためのビームとして、第１のビームに対応する少なくとも１つの第２のビームのうち最良の信号品質を有する第２のビームを選択する。
例えば、第１のビームが制御チャネルを伝送するために用いられ、第２のビームがデータチャネルを伝送するために用いられることを例として、受信側設備が第１のビームを介して制御チャネルを受信しているとき、受信側設備がデータチャネルを受信する必要がある場合、受信したビーム対応情報にしたがって第１のビームに対応する一部の第２のビームを決定し、また決定された一部の第２のビームから最良の信号品質を有する第２のビームを選択してデータチャネルを受信してもよく、送信側設備によって送信された全ての第２のビームを別々に測定する必要がなく、それによってデータ受信中においてビームの信号品質を測定する回数を減らす。
第３に、少なくとも１組のビーム対応情報が少なくとも２組のビーム対応情報である場合、受信側設備は、少なくとも２組のビーム対応情報のそれぞれの第１のビームの信号品質を測定し、次いで少なくとも２組のビーム対応情報のそれぞれの第１のビームのうち最良の信号品質を有する第１のビームに対応する少なくとも１つの第２のビームの信号品質を測定し、また最良の信号品質を有する第１のビームに対応する少なくとも１つの第２のビームのうち最良の信号品質を有する第２のビームを受信ビームとして選択する。
【００８９】
上記の方法により、送信側設備が受信側設備の位置する方向に複数の第２のビームを送信するとき、受信側設備は、該複数の第２のビームのそれぞれについて信号品質測定を実行する必要がなく、該複数の第２のビームをカバーする第１のビームをまず測定して最良の信号品質を有する第１のビームを見つけるだけてよく、該最良の信号品質を有する第１のビームによってカバーされる少なくとも１つの第２のビームは、最良の信号品質を有する１組の第２ビームと見なすことができ、そして、受信側設備はまた、該最良の信号品質を有する１組の第２のビームを測定して最良の信号品質を有する第２のビームを選択するだけでよく、第２のビームのそれぞれについての信号品質の測定と比較して、本解決策は、データ受信中においてビームの信号品質を測定する回数を減らすことができる。
【００９０】
要約すると、本願の実施例に示されるビーム選択方法では、送信側設備は、第１のビームと第２のビームとの間の対応関係を受信側設備に送信し、受信側設備は、送信側設備によって送信されたデータを受信するプロセスにおいて、該第１のビームと第２のビームとの間の対応関係にしたがって、送信側設備によって送信された各ビームから受信ビームを迅速に選択でき、データ受信プロセスにおいてビームの信号品質を測定するステップまたは回数を減らし、それによってビーム測定にかかる時間を減らし、受信側設備のビーム測定および選択のプロセスを加速し、データ受信の複雑さを単純化し、そしてデータ受信の遅延を減少させる。
【００９１】
なお、上記の図４に示される実施例における受信側設備によって実行されるステップは受信側設備のビーム選択方法として別々に実現することも可能であり、上記の各実施例における送信側設備によって実行されるステップは送信側設備のビーム選択方法として別々に実現することも可能である。
【００９２】
本願の一実施例にて提供されるビーム選択方法を示す方法フローチャートである図５を参照されたい。本実施例は、該ビーム選択方法が図１に示される移動通信システムに適用され、送信側設備がアクセスネットワーク設備であり、受信側設備が端末であり、かつ、アクセスネットワーク設備が第２のビームを介してダウンリンクデータチャネルを送信し、第１のビームを介してダウンリンク制御チャネルを送信することを例として説明し、該方法は、ステップ５０１〜ステップ５０４を含む。
【００９３】
ステップ５０１において、アクセスネットワーク設備が少なくとも１組のビーム対応情報を生成し、ここで、各組のビーム対応情報が１つの第１のビームと少なくとも１つの第２のビームとの間の対応関係を含む。
【００９４】
本願の１つの実施例では、上記の第１のビームと少なくとも１つの第２のビームとの間の対応関係は、少なくとも１つの第２のビームに対応するダウンリンクデータチャネル、および第１のビームに対応するダウンリンク制御チャネルをさらに含む。
【００９５】
あるいは、上記の第１のビームと少なくとも１つの第２のビームとの間の対応関係は、少なくとも１つの第２のビームに対応するアップリンク物理チャネルの識別子またはチャネルタイプ、および第１のビームに対応するアップリンク物理チャネルの識別子またはチャネルタイプをさらに含んでもよい。
【００９６】
ステップ５０２において、アクセスネットワーク設備が端末に少なくとも１組のビーム対応情報を送信する。
【００９７】
１つの実施例において、アクセスネットワーク設備は専用シグナリングまたはブロードキャストシグナリングを介して該少なくとも１組のビーム対応情報を送信する。
【００９８】
ステップ５０３において、端末がアクセスネットワーク設備によって送信された少なくとも１組のビーム対応情報を受信する。
【００９９】
それに対応して、端末は専用シグナリングまたはブロードキャストシグナリングを介して該少なくとも１組のビーム対応情報を受信する。
【０１００】
ステップ５０４において、端末が第２のビームを介してダウンリンクデータチャネルを受信するとき、ダウンリンク制御チャネルを受信するためのビームとして、第２のビームに対応する第１のビームを選択する。
【０１０１】
例えば、アクセスネットワーク設備によって送信されたビームは、図２に示され、アクセスネットワーク設備は、第２のビーム（ビーム１からビーム４）を介してダウンリンクデータチャネルを伝送し、また第１のビーム（ビーム５およびビーム６）を介してダウンリンク制御チャネルを伝送し、端末がビーム１を介してダウンリンクデータチャネルを受信している場合、このとき、端末がダウンリンク制御チャネルを受信する必要があると、ビーム５およびビーム６を別々に測定する必要がなく、受信したビーム対応情報にしたがってビーム１に対応する第１のビームであるビーム５を迅速に選択し、またビーム５を介してダウンリンク制御チャネルを受信する。
【０１０２】
要約すると、本願の実施例にて提供されるビーム選択方法では、アクセスネットワーク設備が第２のビームを介してダウンリンクデータチャネルを伝送し、第１のビームを介してダウンリンク制御チャネルを伝送し、また端末にそれが送信した第１のビームと第２のビームとの間の対応関係を送信し、端末が第２のビームを介してアクセスネットワーク設備によって伝送されたダウンリンクデータチャネルを受信している場合、ダウンリンク制御チャネルを受信する必要があると、第１のビームと第２のビームとの間の対応関係にしたがって、該第２のビームに対応する第１のビームを介してダウンリンク制御チャネルを直接的に受信し、アクセスネットワーク設備によって伝送された第１のビームのそれぞれを測定する必要がなく、ダウンリンク制御チャネル受信中においてビームの信号品質を測定する回数を減らす。
【０１０３】
図５に基づく任意選択的な実施例では、アクセスネットワーク設備によって送信された第１のビームと第２のビームとの間の対応関係を使用して、端末は、ダウンリンクデータチャネルを受信するための第２のビームを選択することもでき、このとき、上記のステップ５０４はステップ５０４ａおよびステップ５０４ｂとして実施することができ、図６に示される。
【０１０４】
ステップ５０４ａにおいて、端末が第１のビームを介してダウンリンク制御チャネルを受信するとき、少なくとも１組のビーム対応情報にしたがって、該第１のビームに対応する少なくとも１つの第２のビームの信号品質を測定する。
【０１０５】
例えば、アクセスネットワーク設備によって送信されたビームは、図２に示され、アクセスネットワーク設備は、第２のビーム（ビーム１からビーム４）を介してダウンリンクデータチャネルを伝送し、また第１のビーム（ビーム５およびビーム６）を介してダウンリンク制御チャネルを伝送し、端末がビーム５を介してダウンリンク制御チャネルを受信している場合、このとき、端末がダウンリンクデータチャネルを受信する必要があると、受信したビーム対応情報にしたがってビーム５に対応する第２のビーム（ビーム１およびビーム２）を選択して信号品質を測定し、ビーム３およびビーム４を別々に測定する必要がない。
【０１０６】
ステップ５０４ｂにおいて、端末が、ダウンリンクデータチャネルを受信するためのビームとして、第１のビームに対応する少なくとも１つの第２のビームのうち最良の信号品質を有する第２のビームを選択する。
【０１０７】
例えば、ビーム１およびビーム２の信号品質をそれぞれ測定した後、端末は、ビーム１およびビーム２のうち最良の信号品質を有するビームを介してダウンリンクデータチャネルを受信することを選択する。
【０１０８】
要約すると、本願の実施例にて提供されるビーム選択方法では、アクセスネットワーク設備が第２のビームを介してダウンリンクデータチャネルを伝送し、第１のビームを介してダウンリンク制御チャネルを伝送し、また端末にそれが送信した第１のビームと第２のビームとの間の対応関係を送信し、端末が第１のビームを介してアクセスネットワーク設備によって伝送されたダウンリンク制御チャネルを受信している場合、ダウンリンクデータチャネルを受信する必要があると、第１のビームと第２のビームとの間の対応関係にしたがって、第１のビームに対応する第２のビームしかを測定せず、アクセスネットワーク設備によって送信された第２のビームのそれぞれを測定する必要がなく、それによってダウンリンクデータチャネルにおけるデータ受信中においてビームの信号品質を測定する回数を減らす。
【０１０９】
本願の一実施例にて提供されるビーム選択方法を示す方法フローチャートである図７を参照されたい。本実施例は、該ビーム選択方法が図１に示される移動通信システムに適用され、送信側設備がアクセスネットワーク設備であり、受信側設備が端末であることを例として説明し、該方法は、ステップ７０１〜ステップ７０６を含む。
【０１１０】
ステップ７０１において、アクセスネットワーク設備が少なくとも２組のビーム対応情報を生成し、ここで、各組のビーム対応情報が１つの第１のビームと少なくとも１つの第２のビームとの間の対応関係を含む。
【０１１１】
本願の実施例では、第１のビームは特定のダウンリンク物理チャネルに対応しなくてもよい。例えば、第１のビームまたは第２のビームを介して異なるダウンリンク物理チャネルを伝送することができる。
【０１１２】
あるいは、図５または図６に示される実施例と同様に、本願の実施例では、第１のビームおよび第２のビームはまた、それぞれ異なるダウンリンク物理チャネルを伝送するために用いられてもよい。
【０１１３】
ステップ７０２において、アクセスネットワーク設備が生成した少なくとも２組のビーム対応情報を端末に送信する。
【０１１４】
１つの実施例において、アクセスネットワーク設備は、専用シグナリングまたはブロードキャストシグナリングを介して該少なくとも１組のビーム対応情報を送信する。
【０１１５】
ステップ７０３において、端末が送信側設備によって送信された少なくとも２組のビーム情報を受信する。
【０１１６】
それに対応して、端末は、専用シグナリングまたはブロードキャストシグナリングを介して該少なくとも１組のビーム対応情報を受信する。
【０１１７】
ステップ７０４において、端末が少なくとも２組のビーム対応情報のそれぞれの第１のビームの信号品質を測定する。
【０１１８】
例えば、アクセスネットワーク設備によって送信されたビームは、図３に示され、アクセスネットワーク設備は、ビーム１からビーム９までの９つの第２のビームを送信し、端末が、第２のビームを介してアクセスネットワーク設備によって送信されたシグナリングまたはデータを受信する必要がある場合、ビーム１からビーム９までから最良の信号品質を有する第２のビームを選択する必要がある。本願の実施例によって示される解決策によって、端末が、アクセスネットワーク設備によって送信されたビーム対応情報を受信した後、受信した第２のビームを選択するとき、９つの第２のビームに対応する３つの第１のビームの信号品質をまず測定してもよく、すなわち図３に示されるビーム１０、ビーム１１およびビーム１２の信号品質を測定する。
【０１１９】
ステップ７０５において、端末が少なくとも２組のビーム対応情報のそれぞれの第１のビームのうち最良の信号品質を有する第１のビームに対応する少なくとも１つの第２のビームの信号品質を測定する。
【０１２０】
端末は、図３に示されるビーム１０、ビーム１１およびビーム１２の信号品質を測定した後、最良の信号品質を有する第１のビームを決定し、例えば、決定された最良の信号品質を有する第１のビームがビーム１１であると仮定すると、さらに、端末はビーム１１に対応する３つの第２のビーム（すなわちビーム４からビーム６まで）に対して信号品質を測定する。
【０１２１】
ステップ７０６において、端末が最良の信号品質を有する第１のビームに対応する少なくとも１つの第２のビームのうち最良の信号品質を有する第２のビームを受信ビームとして選択する。
【０１２２】
具体的には、端末は、アクセスネットワーク設備によって送信されたデータまたはシグナリングを受信するためのビームとして、上記の最良の信号品質を有する第１のビームに対応する少なくとも１つの第２のビームのうち最良の信号品質を有する第２のビームを選択することができる。
【０１２３】
例えば、最良の信号品質を有する第１のビームに対応する第２のビーム（すなわち、図３に示されるビーム４からビーム６まで）の信号品質を測定した後、端末はビーム４からビーム６のうち最良の信号品質を有するビームを受信ビームとして選択し、また選択されたビームを介してアクセスネットワーク設備によって送信されたデータまたはシグナリングを受信できる。
【０１２４】
具体的には、例えば、ビーム対応情報に第１のビームの基準信号と対応する各第２のビームの基準信号との間の対応関係を含むことを例とする場合、端末はビーム１０、ビーム１１およびビーム１２の基準信号にしたがって、ビーム１０、ビーム１１およびビーム１２の信号品質を測定してもよく、３つの中でビーム１１が最良の信号品質を有すると決定した後、ビーム１１の基準信号とビーム４からビーム６までの基準信号との間の対応関係を問い合わせ、そして、ビーム４からビーム６までの基準信号にしたがって、ビーム４からビーム６までの信号品質を測定し、そしてその中から最良の信号品質を有する第２のビームを選択する。
【０１２５】
本願の実施例の上記プロセスにおいて、端末が図３に示される９つの第２のビームから１つの第２のビームを選択するとき、３つの第１のビームだけをまず測定して、そして最良の信号品質を有する第１のビームに対応する３つの第２のビームを測定し、前後６回の測定によって受信ビームとしての第２のビームが決定され、９つの第２のビームを別々に測定する必要がない。
【０１２６】
要約すると、本願の実施例にて提供されるビーム選択方法では、アクセスネットワーク設備は、それが送信した第１のビームと第２のビームとの間の対応関係を端末に通知し、端末がアクセスネットワーク設備によって送信された第２のビームのそれぞれから１つの第２のビームを選択して受信するとき、アクセスネットワーク設備によって送信された第１のビームのそれぞれをまず測定し、次に最良の信号品質を有する第１のビームに対応する第２のビームを測定すれば、受信ビームとしての第２のビームを決定でき、アクセスネットワーク設備によって送信された第２のビームのそれぞれを測定する必要がなく、それによって第２のビームを介してデータまたはシグナリングを受信するプロセスにおいてビームの信号品質を測定する回数を減らす。
【０１２７】
図５から図７に示される解決策は、全部送信側設備がアクセスネットワーク設備であり、受信側設備が端末であることを例として説明されている。本願によって提供されるビーム選択方法は、アクセスネットワーク設備が端末によって送信されたビームを選択する場合にも適用可能である。
【０１２８】
本願の一実施例にて提供されるビーム選択方法を示す方法フローチャートである図８を参照されたい。本実施例は、該ビーム選択方法が図１に示される移動通信システムに適用され、送信側設備が端末であり、受信側設備がアクセスネットワーク設備であり、かつ、端末が第２のビームを介してアップリンクデータチャネルを送信し、第１のビームを介してアップリンク制御チャネルを送信することを例として説明する。該方法は、ステップ８０１〜ステップ８０４を含む。
【０１２９】
ステップ８０１において、端末が少なくとも１組のビーム対応情報を生成し、ここで、各組のビーム対応情報が１つの第１のビームと少なくとも１つの第２のビームとの間の対応関係を含む。
【０１３０】
１つの実施例において、本願の実施例では、上記の第１のビームと少なくとも１つの第２のビームとの間の対応関係は、少なくとも１つの第２のビームに対応するアップリンクデータチャネル、および第１のビームに対応するアップリンク制御チャネルをさらに含む。
【０１３１】
あるいは、上記の第１のビームと少なくとも１つの第２のビームとの間の対応関係は、少なくとも１つの第２のビームに対応するアップリンク物理チャネルの識別子またはチャネルタイプ、および第１のビームに対応するアップリンク物理チャネルの識別子またはチャネルタイプをさらに含んでもよい。
【０１３２】
ステップ８０２において、端末がアクセスネットワーク設備に少なくとも１組のビーム情報を送信する。
【０１３３】
１つの実施例において、端末は、ＲＲＣシグナリングなどの専用シグナリングを介して該少なくとも１組のビーム対応情報を送信する。
【０１３４】
ステップ８０３において、アクセスネットワーク設備が端末によって送信された少なくとも１組のビーム情報を受信する。
【０１３５】
それに対応して、アクセスネットワーク設備は、端末から専用シグナリングを介して送信された該少なくとも１組のビーム対応情報を受信する。
【０１３６】
ステップ８０４において、アクセスネットワーク設備が第２のビームを介してアップリンクデータチャネルを受信するとき、アップリンク制御チャネルを受信するためのビームとして、第２のビームに対応する第１のビームを選択する。
【０１３７】
例えば、端末によって送信されたビームは、図２に示され、端末は第２のビーム（ビーム１からビーム４まで）を介してアップリンクデータチャネルを伝送し、また第１のビーム（ビーム５およびビーム６）を介してアップリンク制御チャネルを伝送し、アクセスネットワーク設備がビーム１（すなわち上記第１、第２のビーム）を介してアップリンクデータチャネルを受信している場合、このとき、アクセスネットワーク設備がアップリンク制御チャネルを受信する必要があると、ビーム５およびビーム６を別々に測定する必要がなく、受信したビーム対応情報にしたがって、ビーム１に対応する第１のビーム（ビーム５）を迅速に選択し、またビーム５を介してアップリンク制御チャネルを受信する。
【０１３８】
要約すると、本願の実施例にて提供されるビーム選択方法では、端末が第２のビームを介してアップリンクデータチャネルを伝送し、第１のビームを介してアップリンク制御チャネルを伝送し、またアクセスネットワーク設備にそれが送信した第１のビームと第２のビームとの間の対応関係を送信し、アクセスネットワーク設備が第２のビームを介して端末によって伝送されたアップリンクデータチャネルを受信している場合、アップリンク制御チャネルを受信する必要があると、第１のビームと第２のビームとの間の対応関係にしたがって、第２のビームに対応する第１のビームを介してアップリンク制御チャネルを直接的に受信し、端末によって送信された第１のビームのそれぞれを測定する必要がなく、それによってアップリンク制御チャネルにおけるデータ受信中においてビームの信号品質を測定するステップを減らす。
【０１３９】
図８に基づく任意選択的な実施例では、端末は、アクセスネットワーク設備によって送信された第１のビームと第２のビームとの間の対応関係を使用して、ダウンリンクデータチャネルを受信するための第２のビームを選択することもでき、このとき、上記のステップ８０４はステップ８０４ａおよび８０４ｂと置き換えて実施することができ、図９に示される。
【０１４０】
ステップ８０４ａにおいて、アクセスネットワーク設備が第１のビームを介してアップリンク制御チャネルを受信するとき、少なくとも１組のビーム対応情報にしたがって、第１のビームに対応する少なくとも１つの第２のビームの信号品質を測定する。
【０１４１】
例えば、端末によって送信されたビームは、図２に示され、端末は第２のビーム（ビーム１からビーム４まで）を介してアップリンクデータチャネルを伝送し、また第１のビーム（ビーム５およびビーム６）を介してアップリンク制御チャネルを伝送し、アクセスネットワーク設備がビーム５を介してアップリンク制御チャネルを受信している場合、このとき、アップリンクデータチャネルを受信する必要があると、受信したビーム対応情報にしたがってビーム５に対応する第２のビーム（ビーム１およびビーム２）を選択して信号品質を測定し、ビーム３およびビーム４を別々に測定する必要がない。
【０１４２】
ステップ８０４ｂにおいて、アクセスネットワーク設備が、アップリンクデータチャネルを受信するためのビームとして、第１のビームに対応する少なくとも１つの第２のビームのうち最良の信号品質を有する第２のビームを選択する。
【０１４３】
例えば、図２に示された例において、アクセスネットワーク設備は、ビーム１およびビーム２の信号品質をそれぞれ測定した後、ビーム１およびビーム２のうち最良の信号品質を有するビームを介してアップリンクデータチャネルを受信することを選択する。
【０１４４】
要約すると、本願の実施例にて提供されるビーム選択方法では、端末が第２のビームを介してダウンリンクデータチャネルを伝送し、第１のビームを介してダウンリンク制御チャネルを伝送し、またアクセスネットワーク設備にそれが送信した第１のビームと第２のビームとの間の対応関係を送信し、アクセスネットワーク設備が第１のビームを介して端末によって伝送されたアップリンク制御チャネルを受信している場合、アップリンクデータチャネルを受信する必要があると、第１のビームと第２のビームとの間の対応関係にしたがって、第１のビームに対応する第２のビームしかを測定せず、端末によって伝送された第２のビームのそれぞれを測定する必要がなく、それによってアップリンクデータチャネル受信中においてビームの信号品質を測定する回数を減らす。
【０１４５】
本願の一実施例にて提供されるビーム選択方法を示す方法フローチャートである図１０を参照されたい。本実施例は、該ビーム選択方法が図１に示される移動通信システムに適用され、送信側設備が端末であり、受信側設備がアクセスネットワーク設備であることを例として説明する。該方法は、ステップ１００１〜ステップ１００６を含む。
【０１４６】
ステップ１００１において、端末が少なくとも２組のビーム対応情報を生成し、ここで、各組のビーム対応情報が１つの第１のビームと少なくとも１つの第２のビームとの間の対応関係を含む。
【０１４７】
本願の実施例では、第１のビームは特定のアップリンク物理チャネルに対応しなくてもよい。例えば、第１のビームまたは第２のビームを介して異なるアップリンク物理チャネルを送信することができる。
【０１４８】
あるいは、図８または図９に示される実施例と同様に、本願の実施例では、第１のビームおよび第２のビームはまた、それぞれ異なるアップリンク物理チャネルを伝送するために用いられてもよい。
【０１４９】
ステップ１００２において、端末がアクセスネットワーク設備に少なくとも２組のビーム情報を送信する。
【０１５０】
１つの実施例において、端末は、専用シグナリングを介して該少なくとも１組のビーム対応情報を送信する。
【０１５１】
ステップ１００３において、アクセスネットワーク設備が端末によって送信された少なくとも２組のビーム情報を受信する。
【０１５２】
それに対応して、アクセスネットワーク設備は、専用シグナリングを介して該少なくとも１組のビーム対応情報を受信する。
【０１５３】
ステップ１００４において、アクセスネットワーク設備が少なくとも２組のビーム対応情報のそれぞれの第１のビームの信号品質を測定する。
【０１５４】
例えば、端末によって送信されたビームは、図３に示され、端末は、ビーム１からビーム９までの９つの第２のビームを送信し、アクセスネットワーク設備が、第２のビームを介して端末によって送信されたシグナリングまたはデータを受信する必要がある場合、ビーム１からビーム９までから最良の信号品質を有する第２のビームを選択する必要がある。本願の実施例によって示される解決策によって、アクセスネットワーク設備が第２のビームを選択するとき、９つの第２のビームに対応する３つの第１のビームの信号品質をまず測定してもよく、すなわち図３に示されるビーム１０、ビーム１１およびビーム１２の信号品質を測定する。
【０１５５】
ステップ１００５において、アクセスネットワーク設備が少なくとも２組のビーム対応情報のそれぞれの第１のビームのうち最良の信号品質を有する第１のビームに対応する少なくとも１つの第２のビームの信号品質を測定する。
【０１５６】
アクセスネットワーク設備は、図３に示されるビーム１０、ビーム１１およびビーム１２の信号品質を測定した後、最良の信号品質を有する第１のビームを決定し、例えば、決定された第１のビームがビーム１１であると仮定すると、さらに、アクセスネットワーク設備はビーム１１に対応する３つの第２のビーム（すなわちビーム４からビーム６まで）に対して信号品質を測定する。
【０１５７】
ステップ１００６において、アクセスネットワーク設備が、最良の信号品質を有する該第１のビームに対応する少なくとも１つの第２のビームのうち最良の信号品質を有する第２のビームを受信ビームとして選択する。
【０１５８】
具体的には、アクセスネットワーク設備は、端末によって送信されたデータまたはシグナリングを受信するためのビームとして、上記の最良の信号品質を有する第１のビームに対応する少なくとも１つの第２のビームのうち最良の信号品質を有する第２のビームを選択することができる。
【０１５９】
例えば、アクセスネットワーク設備は、図３におけるビーム４からビーム６までの信号品質を測定した後、データまたはシグナリングを受信するためのビームとして、ビーム４からビーム６までの最良の信号品質を有するビームを選択する。
【０１６０】
本願の実施例の上記プロセスにおいて、アクセスネットワーク設備が図３に示される９つの第２のビームから１つの第２のビームを選択するとき、３つの第１のビームだけをまず測定して、そして最良の信号品質を有する第１のビームに対応する３つの第２のビームを測定し、前後６回の測定によって受信ビームとしての第２のビームを決定でき、９つの第２のビームを別々に測定する必要がない。
【０１６１】
要約すると、本願の実施例にて提供されるビーム選択方法では、端末は、それが送信した第１のビームと第２のビームとの間の対応関係をアクセスネットワーク設備に通知し、アクセスネットワーク設備が端末によって送信された第２のビームのそれぞれから１つの第２のビームを選択して受信するとき、端末によって送信された第１のビームのそれぞれをまず測定し、次に最良の信号品質を有する第１のビームに対応する第２のビームを測定すれば、受信ビームとしての第２のビームを決定でき、端末によって送信された第２のビームのそれぞれを測定する必要がなく、それによって第２のビームを介してデータまたはシグナリングを受信するプロセスにおいてビームの信号品質を測定する回数を減らす。
【０１６２】
なお、上記の図５から図１０に示される各実施例におけるアクセスネットワーク設備によって実行されるステップはアクセスネットワーク設備側のビーム選択方法として別々に実現することも可能であり、上記の図５から図１０に示される各実施例における端末によって実行されるステップは端末側のビーム選択方法として別々に実現することも可能である。
【０１６３】
本願の一実施例にて提供されるビーム選択方法を示す方法フローチャートである図１１を参照されたい。本実施例は、図１に示す移動通信システムにビーム選択方法を適用することを例として説明する。該方法は、ステップ１１０１〜ステップ１１０４を含む。
【０１６４】
ステップ１１０１において、送信側設備が少なくとも１組のビーム対応情報を生成し、ここで、各組のビーム対応情報が、第１の信号が位置するビームと第２の信号が位置するビームとの間の対応関係を含む。
【０１６５】
１つの実施例において、、第１の信号が位置するビームは、第２の信号が位置するビームと同じビームである。
【０１６６】
本願の実施例では、送信側設備がビームフォーミング技術を使用してマルチビーム送信を行うとき、異なるビームで同じ種類に属する異なる信号を送信でき、かつ、同じビームで異なる種類の複数の信号を送信できる。送信側設備は、それが送信した各ビームにおいての第１の信号および第２の信号にしたがって、１組のビーム対応情報を生成することができる。
【０１６７】
例えば、図２を例として、ビーム１からビーム４はそれぞれ第１の信号および第２の信号を送信し、ここで、ビーム１で送信される第１の信号は信号１１であり、ビーム１で送信される第２の信号は２１であり、ビーム２で送信される第１の信号は信号１２であり、ビーム２で送信される第２の信号は２２であり、ビーム３で送信される第１の信号は信号１３であり、ビーム３で送信される第２の信号は２３であり、ビーム４で送信される第１の信号は信号１４であり、ビーム４で送信される第２の信号は２４である。上記のビーム１に対応する１組のビーム対応情報は、信号１１が位置するビームと信号２１が位置するビームとの間の対応関係を含み、それに対応して、ビーム２に対応する１組のビーム対応情報は、信号１２が位置するビームと信号２２が位置するビームとの間の対応関係を含み、ビーム３に対応する１組のビーム対応情報は、信号１３が位置するビームと信号２３が位置するビームとの間の対応関係を含み、ビーム４に対応する１組のビーム対応情報は、信号１４が位置するビームと信号２４が位置するビームとの間の対応関係を含む。
【０１６８】
ここで、上記の第１の信号が位置するビームと第２の信号が位置するビームとの間の対応関係は、直接的に第１の信号の信号内容と第２の信号の信号内容との間の対応関係でもよく、また第１の信号の識別子と第２の信号の識別子との間の対応関係でもよく、あるいは、第１の信号の信号内容と第２の信号の識別子との間の対応関係でもよく、あるいは、第１の信号の識別子と第２の信号の信号内容との間の対応関係でもよいなどである。
【０１６９】
ステップ１１０２において、送信側設備が受信側設備に少なくとも１組のビーム対応情報を送信する。
【０１７０】
本願の実施例では、送信側設備は、疑似コロケーション（Ｑｕａｓｉ  Ｃｏ−Ｌｏｃａｔｅｄ、ＱＣＬ）パラメータを使用してビーム対応情報を送信でき、すなわち、送信側設備は、少なくとも１組のビーム対応情報を示す疑似コロケーションパラメータを受信側設備に送信する。
【０１７１】
あるいは、本願の実施例では、送信側設備は、専用シグナリングを介してビーム対応情報を送信することもでき、すなわち、送信側設備は、無線リソース制御（Ｒａｄｉｏ  Ｒｅｓｏｕｒｃｅ  Ｃｏｎｔｒｏｌ、ＲＲＣ）シグナリングなどの該少なくとも１組のビーム対応情報を含む専用シグナリングを受信側設備に送信する。
【０１７２】
ステップ１１０３において、受信側設備が該少なくとも１組のビーム対応情報を受信する。
【０１７３】
それに対応して、送信側設備が疑似コロケーションパラメータを介してビーム対応情報を送信できる場合、受信側設備は、送信側設備によって送信された疑似コロケーションパラメータを受信し、疑似コロケーションパラメータによって示される少なくとも１組のビーム対応情報を取得する。
【０１７４】
あるいは、送信側設備が専用シグナリングを介してビーム対応情報を送信すると、受信側設備は、送信側設備から専用シグナリングを介して送信された少なくとも１組のビーム対応情報を受信する。
【０１７５】
ステップ１１０４において、受信側設備が少なくとも１組のビーム対応情報にしたがって、送信側設備によって送信された各ビームから受信ビームを選択する。
【０１７６】
具体的には、本願の実施例では、受信側設備は、各ビームの第１の信号を測定することによって得られた各ビームの信号品質を取得でき、受信側設備は、少なくとも１組のビーム対応情報にしたがって各ビームにおける最良の信号品質を有するビームの第１の信号に対応する第２の信号を問い合わせ、受信側設備は、最良の信号品質を有するビームのうち第１の信号に対応する第２の信号を受信するためのビームとして最良の信号品質を有するビームを選択する。
【０１７７】
本願の実施例に示される方法によって、受信側設備は、送信側設備によって送信された各ビームの第１の信号を測定して各ビームのそれぞれの信号品質を取得し、その後、第２の信号を受信するとき、受信したビーム対応情報にしたがって、最も強い信号を有するビームで搬送される第２の信号がどの信号であるかを直接的に問い合わせて決定し、それによって最も強い信号を有するビームを介して決定された第２の信号を直接的に受信し、再度第２の信号を目指してビーム走査を行う必要がない。
【０１７８】
要約すると、本願の実施例に示される方法では、受信側設備が第１の信号を測定した後に第２の信号を受信する必要があると、第２の信号を測定する必要がなく、ビーム対応情報にしたがって受信ビームを直接的に選択でき、それによってビームの様々な信号を別々に測定するステップまたは回数を減らし、それによってビーム測定にかかる時間を短縮し、受信側設備によって行われるビーム測定および選択のプロセスを加速し、システムの複雑さを単純化し、データ受信の遅延を減らす。
【０１７９】
なお、上記の図１１に示される実施例における受信側設備によって実行されるステップは受信側設備のビーム選択方法として別々に実現することも可能であり、上記の各実施例における送信側設備によって実行されるステップは送信側設備のビーム選択方法として別々に実現することも可能である。
【０１８０】
５Ｇシステムは、異なるｂｅａｍを介してセル全体をカバーでき、すなわち、各ビームはより狭い範囲をカバーし、複数のｂｅａｍがセル全体をカバーするという効果は時間内に掃引する（ｓｗｅｅｐｉｎｇ）ことによって実現される。異なる同期信号ブロック（ＳＳ  ｂｌｏｃｋ）は異なるビームで伝送され、端末は異なるＳＳ  ｂｌｏｃｋによって異なるｂｅａｍを区別することができる。
【０１８１】
端末は、セルサーチプロセスの間にビーム掃引（ｂｅａｍ  ｓｗｅｅｐｉｎｇ）を開始し、異なるＳＳ  ｂｌｏｃｋを測定して最良のダウンリンクｂｅａｍ（すなわち、最良の信号品質を有するビーム）を得る。端末がアイドルモード（ｉｄｌｅ  ｍｏｄｅ）にあるときは、ページングチャネル／信号（ｐａｇｉｎｇ  ｃｈａｎｎｅｌ／ｓｉｇｎａｌ）を聴取するときにも最良の信号品質を有するビームを選択する必要があり、端末が接続状態に入ったときには、移動管理を行う場合、端末はＣＳＩ−ＲＳを測定する必要があり、異なるＣＳＩ−ＲＳ配置は異なるビームに対応し、同様に、他の時刻では、端末はダウンリンクＤＭＲＳに対応するビームを測定する必要もあるかもしれない。端末はセル選択を行うときに既にＳＳ  ｂｌｏｃｋを測定したので、システムは上記の図４に示された解決手段によってＳＳ  ｂｌｏｃｋと他の信号／チャネルのビームとの間の対応関係を示し、その後ビームを選択するため他の信号／チャネルを測定するとき、ビーム選択のプロセスを大幅に単純化することができる。
【０１８２】
本願の一実施例にて提供されるビーム選択方法を示す方法フローチャートである図１２を参照されたい。本実施例は、該ビーム選択方法が図１に示される移動通信システムに適用され、送信側設備がアクセスネットワーク設備であり、受信側設備が端末であることを例として説明し、該方法は、ステップ１２０１〜ステップ１２０４を含む。
【０１８３】
ステップ１２０１において、アクセスネットワーク設備が少なくとも１組のビーム対応情報を生成し、ここで、各組のビーム対応情報が、ＳＳ  ｂｌｏｃｋ（第１の信号）が位置するビームと第２の信号が位置するビームとの間の対応関係を含む。
【０１８４】
１つの実施例において、第１の信号が位置するビームは、第２の信号が位置するビームと同じビームである。
【０１８５】
ここで、該第１の信号は同期信号ブロックＳＳ  ｂｌｏｃｋであり、第２の信号はページング信号、チャネル状態情報基準信号ＣＳＩ−ＲＳ、および復調基準信号ＤＭＲＳのうちの少なくとも１つを含む。
【０１８６】
本願の実施例では、第２の信号がページング信号を含む場合、上記の対応関係は、ＳＳ  ｂｌｏｃｋとページングチャネル／信号との間の対応関係を含んでもよい。
【０１８７】
第２の信号がチャネル状態情報基準信号ＣＳＩ−ＲＳを含む場合、上記の対応関係は、ＳＳ  ｂｌｏｃｋとＣＳＩ−ＲＳリソースとの間の対応関係、および／または、ＳＳ  ｂｌｏｃｋとＣＳＩ−ＲＳポートとの間の対応関係を含んでもよい。
【０１８８】
第２の信号が復調基準信号ＤＭＲＳを含む場合、上記の対応関係は、ＳＳ  ｂｌｏｃｋとＤＭＲＳポートまたはポートセットとの間の対応関係を含む。
【０１８９】
ステップ１２０２において、アクセスネットワーク設備が少なくとも１組のビーム対応情報を端末に送信する。
【０１９０】
本願の実施例において、アクセスネットワーク設備は、ブロードキャスト方式でシステム情報ブロック（Ｓｙｓｔｅｍ  Ｉｎｆｏｒｍａｔｉｏｎ  Ｂｌｏｃｋ、ＳＩＢ）を端末に送信でき、該ＳＩＢで搬送されるＱＣＬパラメータは、上記の少なくとも１組のビーム対応情報を示す。
【０１９１】
あるいは、アクセスネットワーク設備は、ＲＲＣ  ｓｉｇｎａｌｉｎｇなどの専用シグナリングを介して上記の少なくとも１組のビーム対応情報を端末に送信することもできる。
【０１９２】
ステップ１２０３において、端末が該少なくとも１組のビーム対応情報を受信する。
【０１９３】
それに対応して、アクセスネットワーク設備がＱＣＬパラメータを介してビーム対応情報を送信する場合、端末は、アクセスネットワーク設備がブロードキャストを介して送信したＳＩＢにおけるＱＣＬパラメータを受信し、かつＱＣＬパラメータによって示される少なくとも１組のビーム対応情報を取得する。
【０１９４】
あるいは、アクセスネットワーク設備がＲＲＣ  ｓｉｇｎａｌｉｎｇを介してビーム対応情報を送信する場合、端末は、アクセスネットワーク設備がＲＲＣシグナリングを介して送信した少なくとも１組のビーム対応情報を受信する。
【０１９５】
ステップ１２０４において、端末が少なくとも１組のビーム対応情報にしたがって、アクセスネットワーク設備によって送信された各ビームから受信ビームを選択する。
【０１９６】
本願の実施例では、端末は、各ビームのＳＳ  ｂｌｏｃｋを予め測定して得られた各ビームの信号品質を取得し、少なくとも１組のビーム対応情報にしたがって、各ビームのうち最良の信号品質を有するビームのＳＳ  ｂｌｏｃｋに対応する第２の信号を問い合わせ、また最良の信号品質を有するビームのＳＳ  ｂｌｏｃｋに対応する第２の信号を受信するためのビームとして、最良の信号品質を有するビームを選択できる。
【０１９７】
端末は、ＱＣＬパラメータなどの、アクセスネットワーク設備によって生成および送信されたビーム対応情報を受信した後、ＳＳ  ｂｌｏｃｋと他の信号／チャネルとの間の対応を使用することによってビーム選択プロセスを加速する。具体的には、例えば、アクセスネットワーク設備は、２０ｍｓの期間内に２つのＳＳ  ｂｌｏｃｋをブロードキャストし、アクセスネットワーク設備はまた、２つのｂｅａｍを用してページング（ｐａｇｉｎｇ）メッセージをブロードキャストする。同時に、アクセスネットワーク設備は、ＳＩＢを介して２つのＳＳ  ｂｌｏｃｋとｐａｇｉｎｇメッセージをブロードキャストする２つのｂｅａｍとの間の対応関係を示し、例えば、ＳＳ  ｂｌｏｃｋ１とｐａｇｉｎｇ  ｍｅｓｓａｇｅ１を示すＱＣＬパラメータは、ＳＳ  ｂｌｏｃｋ１とｐａｇｉｎｇ  ｍｅｓｓａｇｅ１が同じｂｅａｍで送信されることを示すが、ＳＳ  ｂｌｏｃｋ２およびｐａｇｉｎｇ  ｍｅｓｓａｇｅ２を示すＱＣＬパラメータは、ＳＳ  ｂｌｏｃｋ２とｐａｇｉｎｇ  ｍｅｓｓａｇｅ２が別のｂｅａｍで送信されることを示す。端末がセルサーチを行うとき、ＳＳ  ｂｌｏｃｋ１に対応するビーム方向の信号品質が最も強いと判断した場合、端末は、上記の信号対応関係にしたがって、ＳＳ  ｂｌｏｃｋ１に対応するビーム方向でｐａｇｉｎｇ  ｍｅｓｓａｇｅ１を直接的に聴取できる。まずｐａｇｉｎｇ  ｍｅｓｓａｇｅ１およびｐａｇｉｎｇ  ｍｅｓｓａｇｅ２に対してビーム走査を実行して、その後ビーム走査の結果にしたがってｐａｇｉｎｇ  ｍｅｓｓａｇｅ１またはｐａｇｉｎｇ  ｍｅｓｓａｇｅ２を聴取することを決定することを必要とせず、それによって端末がビームを選択するプロセスを加速する。
【０１９８】
要約すると、本願の実施例に示される方法では、受信側設備は、送信側設備によって送信された各ビームの第１の信号を測定して各ビームのそれぞれの信号品質を取得し、その後第２の信号を受信するとき、受信した信号対応関係にしたがって、最も強い信号を有するビームで搬送される第２の信号がどの信号であるかを直接的に問い合わせて決定し、それによって最も強い信号を有する該ビームを介して決定された第２の信号を直接的に受信し、再度第２の信号に対してビーム走査を行う必要がなく、それによってビームの様々な信号を別々に測定するステップまたは回数を減らし、それによってビーム測定にかかる時間を短縮し、受信側設備によって行われるビーム測定および選択のプロセスを加速し、システムの複雑さを単純化し、データ受信の遅延を減らす。
【０１９９】
以下は、本願の実施例による装置の実施例であり、装置の実施例において詳述されていない部分については、上記の方法の実施例において開示された技術的詳細を参照することができる。
【０２００】
本願の一実施例にて提供されるビーム選択装置の概略構造図である図１３を参照されたい。該ビーム選択装置は、ソフトウェア、ハードウェア、およびその両方の組み合わせによって受信側設備の全部または一部として実現できる。該ビーム選択装置は、受信ユニット１３０１と、処理ユニット１３０２とを含み、
受信ユニット１３０１は、上記のステップ４０３、ステップ５０３、ステップ７０３、ステップ８０３、ステップ１００３、ステップ１１０３あるいはステップ１２０３を実行するために用いられ、
処理ユニット１３０２は、上記のステップ４０４を実行するために用いられ、あるいは、ステップ５０４を実行するために用いられ、あるいは、ステップ５０４ａおよびステップ５０４ｂを実行するために用いられ、あるいは、ステップ７０４からステップ７０６を実行するために用いられ、あるいは、ステップ８０４を実行するために用いられ、あるいは、ステップ８０４ａおよびステップ８０４ｂを実行するために用いられ、あるいは、ステップ１００４からステップ１００６を実行するために用いられ、あるいは、ステップ１１０４を実行するために用いられ、あるいは、ステップ１２０４を実行するために用いられる。
【０２０１】
本願の一実施例にて提供されるビーム選択装置の概略構造図である図１４を参照されたい。該ビーム選択装置は、ソフトウェア、ハードウェア、およびその両方の組み合わせによって送信側設備の全部または一部として実現できる。該ビーム選択装置は、処理ユニット１４０１と、送信ユニット１４０２とを含み、
処理ユニット１４０１は、上記のステップ４０１、ステップ５０１、ステップ７０１、ステップ８０１、ステップ１００１、ステップ１１０１あるいはステップ１２０１を実行するために用いられ、
送信ユニット１４０２は、上記のステップ４０２、ステップ５０２、ステップ７０２、ステップ８０２、ステップ１００２、ステップ１１０２あるいはステップ１２０２を実行するために用いられる。
【０２０２】
本願の例示的な一実施例にて提供される受信側設備の概略構造図である図１５を参照されたい。該受信側設備は、プロセッサ２１と、受信機２２と、送信機２３と、メモリ２４と、バス２５とを含む。
【０２０３】
プロセッサ２１は、１つまたは１つ以上の処理コアを含み、プロセッサ２１はソフトウェアプログラムおよびモジュールを実行することにより、各種機能アプリケーションおよび情報処理を実行する。
【０２０４】
受信機２２および送信機２３は、１つの通信チップとしてもよい通信コンポーネントとして実現でき、通信チップは、受信モジュール、送信モジュール、および変復調モジュールなどを含んでもよく、情報を変調および／または復調し、また無線信号で該情報を送受信するために用いられる。
【０２０５】
メモリ２４は、バス２５を介してプロセッサ２１に接続されている。
【０２０６】
メモリ２４は、ソフトウェアプログラムおよびモジュールを記憶するために使用することができる。
【０２０７】
メモリ２４は、少なくとも１つの機能によって記述されたアプリケーションモジュール２６を記憶できる。アプリケーションモジュール２６は、受信モジュール２６１と、選択モジュール２６２とを含んでもよい。
【０２０８】
プロセッサ２１は、受信モジュール２６１を実行して上記の様々な方法の実施例における受信ステップに関連する機能を実現するために用いられ、プロセッサ２１は、選択モジュール２６２を実行して上記の様々な方法の実施例におけるビーム選択ステップに関連する機能を実行するために用いられる。
【０２０９】
さらに、メモリ２４は、スタティックランダムアクセスメモリ（ＳＲＡＭ）、電気的消去可能プログラマブル読み出し専用メモリ（ＥＥＰＲＯＭ）、消去可能プログラマブル読み出し専用メモリ（ＥＰＲＯＭ）、プログラマブルリードオンリーメモリ（ＰＲＯＭ）、リードオンリーメモリ（ＲＯＭ）、磁気メモリ、フラッシュメモリ、磁気ディスクまたは光ディスクなどの、任意の種類の揮発性または不揮発性メモリデバイス、またはそれらの組み合わせによって実現することができる。
【０２１０】
本願の例示的な一実施例にて提供される送信側設備の概略構造図である図１６を参照されたい。該送信側設備は、プロセッサ３１と、受信機３２と、送信機３３と、メモリ３４と、バス３５とを含む。
【０２１１】
プロセッサ３１は、１つまたは１つ以上の処理コアを含み、プロセッサ３１はソフトウェアプログラムおよびモジュールを実行することにより、各種機能アプリケーションおよび情報処理を実行する。
【０２１２】
受信機３２および送信機３３は、１つの通信チップとしてもよい通信コンポーネントとして実現でき、通信チップは、受信モジュール、送信モジュール、および変復調モジュールなどを含んでもよく、情報を変調・復調し、また無線信号で該情報を送受信するために用いられる。
【０２１３】
メモリ３４は、バス３５を介してプロセッサ３１に接続されている。
【０２１４】
メモリ３４は、ソフトウェアプログラムおよびモジュールを記憶するために使用することができる。
【０２１５】
メモリ３４は、少なくとも１つの機能によって記述されたアプリケーションモジュール３６を記憶できる。アプリケーションモジュール３６は、生成モジュール３６１と、送信モジュール３６２とを含んでもよい。
【０２１６】
プロセッサ３１は、生成モジュール３６１を実行して上記の様々な方法の実施例におけるビーム対応情報の生成ステップに関連する機能を実現するために用いられ、プロセッサ３１は、送信モジュール３６２を実行して上記の様々な方法の実施例における送信ステップに関連する機能を実行するために用いられる。
【０２１７】
さらに、メモリ３４は、スタティックランダムアクセスメモリ（ＳＲＡＭ）、電気的消去可能プログラマブル読み出し専用メモリ（ＥＥＰＲＯＭ）、消去可能プログラマブル読み出し専用メモリ（ＥＰＲＯＭ）、プログラマブルリードオンリーメモリ（ＰＲＯＭ）、リードオンリーメモリ（ＲＯＭ）、磁気メモリ、フラッシュメモリ、磁気ディスクまたは光ディスクなどの、任意の種類の揮発性または不揮発性メモリデバイス、またはそれらの組み合わせによって実現することができる。
【０２１８】
本願の実施例は、さらにビーム選択システムを提供し、該ビーム選択システムは、受信側設備と、送信側設備とを含んでもよい。
【０２１９】
ここで、受信側設備は上記の図１３にて提供されるビーム選択装置を含んでもよく、送信側設備は上記の図１４にて提供されるビーム選択装置を含んでもよい。
【０２２０】
あるいは、受信側設備は上記の図１５にて提供される受信側設備でもよく、送信側設備は上記の図１６にて提供される送信側設備でもよい。
【０２２１】
上記の１つまたは複数の例示において、本願の実施例で説明されている機能は、ハードウェア、ソフトウェア、ファームウェア、またはそれらの任意の組合せで実現され得ることを当業者は理解されたい。ソフトウェアで実現されるとき、これらの機能はコンピュータ可読媒体に記憶されてもよく、またはコンピュータ可読媒体上の１つまたは複数の命令またはコードとして伝送されてもよい。コンピュータ可読媒体は、コンピュータ記憶媒体と通信媒体の両方を含み、ここで通信媒体は、ある場所から別の場所へのコンピュータプログラムの転送を容易にする任意の媒体を含む。記憶媒体は、汎用または特殊用途のコンピュータによってアクセスすることができる任意の利用可能な媒体としてもよい。
【０２２２】
以上、本願の好ましい実施例を説明したが、本願はこれらに限定されるものではなく、本願の趣旨を逸脱しない範囲での変形、同等の置き換え、改良などはいずれも本願の保護範囲に含まれるべきである。
【手続補正２】
【補正対象書類名】特許請求の範囲
【補正対象項目名】全文
【補正方法】変更
【補正の内容】
【特許請求の範囲】
【請求項１】
ビーム選択方法であって、
受信側設備が送信側設備によって送信された少なくとも１組のビーム対応情報を受信し、ここで、各組の前記ビーム対応情報が１つの第１のビームと少なくとも１つの第２のビームとの間の対応関係を含むステップと、
前記受信側設備が前記少なくとも１組のビーム対応情報にしたがって、前記送信側設備によって送信された各ビームから受信ビームを選択するステップとを含むことを特徴とするビーム選択方法。
【請求項２】
前記第１のビームと前記少なくとも１つの第２のビームとの間の対応関係は、
前記第１のビームのビームＩＤと前記少なくとも１つの第２のビームのビームＩＤとの間の対応関係、
前記第１のビームに対応する物理リソースと前記少なくとも１つの第２のビームのそれぞれに対応する物理リソースとの間の対応関係、および、
前記第１のビームに対応する基準信号と前記少なくとも１つの第２のビームのそれぞれに対応する基準信号との間の対応関係のうち少なくとも１つを含むことを特徴とする請求項１に記載の方法。
【請求項３】
前記基準信号は、
対応するビームが伝送したアップリンク物理チャネルに使用される復調基準信号ＤＭＲＳ、および、対応するビームが伝送したアップリンク物理チャネルに使用されるチャネルサウンディング基準信号ＳＲＳのうち少なくとも１つを含み、
あるいは、
対応するビームが伝送したダウンリンク物理チャネルに使用される復調基準信号ＤＭＲＳ、対応するビームのビーム基準信号ｂｅａｍ  ｓｐｅｃｉｆｉｃ  ＲＳ、および、対応するビームのチャネル状態情報基準信号ＣＳＩ−ＲＳのうち少なくとも１つを含むことを特徴とする請求項２に記載の方法。
【請求項４】
前記受信側設備が送信側設備によって送信された少なくとも１組のビーム対応情報を受信するステップは、
前記受信側設備が、前記送信側設備から専用シグナリングまたはブロードキャストシグナリングを介して送信された前記少なくとも１組のビーム対応情報を受信することを含むことを特徴とする請求項１から請求項３のいずれか一項に記載の方法。
【請求項５】
前記受信側設備は端末で、前記送信側設備はアクセスネットワーク設備であり、
あるいは、
前記受信側設備はアクセスネットワーク設備で、前記送信側設備は端末であることを特徴とする請求項１から請求項４のいずれか一項に記載の方法。
【請求項６】
ビーム選択方法であって、
送信側設備が少なくとも１組のビーム対応情報を生成し、ここで、各組の前記ビーム対応情報が１つの第１のビームと少なくとも１つの第２のビームとの間の対応関係を含むステップと、
受信側設備が前記少なくとも１組のビーム対応情報にしたがって、前記送信側設備によって送信された各ビームから受信ビームを選択するように、前記送信側設備が前記受信側設備に前記少なくとも１組のビーム情報を送信するステップとを含むことを特徴とするビーム選択方法。
【請求項７】
前記第１のビームと前記少なくとも１つの第２のビームとの間の対応関係は、
前記第１のビームのビームＩＤと前記少なくとも１つの第２のビームのビームＩＤとの間の対応関係、
前記第１のビームに対応する物理リソースと前記少なくとも１つの第２のビームのそれぞれに対応する物理リソースとの間の対応関係、および、
前記第１のビームに対応する基準信号と前記少なくとも１つの第２のビームのそれぞれに対応する基準信号との間の対応関係のうち少なくとも１つを含むことを特徴とする請求項６に記載の方法。
【請求項８】
前記基準信号は、
対応するビームが伝送したアップリンク物理チャネルに使用される復調基準信号ＤＭＲＳ、および、対応するビームが伝送したアップリンク物理チャネルに使用されるチャネルサウンディング基準信号ＳＲＳのうち少なくとも１つを含み、
あるいは、
対応するビームが伝送したダウンリンク物理チャネルに使用される復調基準信号ＤＭＲＳ、対応するビームのビーム基準信号ｂｅａｍ  ｓｐｅｃｉｆｉｃ  ＲＳ、および、対応するビームのチャネル状態情報基準信号ＣＳＩ−ＲＳのうち少なくとも１つを含むことを特徴とする請求項７に記載の方法。
【請求項９】
前記送信側設備が受信側設備に前記少なくとも１組のビーム情報を送信するステップは、
前記送信側設備が専用シグナリングまたはブロードキャストシグナリングを介して前記受信側設備に前記少なくとも１組のビーム対応情報を送信することを含むことを特徴とする請求項６から請求項８のいずれか一項に記載の方法。
【請求項１０】
前記受信側設備は端末で、前記送信側設備はアクセスネットワーク設備であり、
あるいは、
前記受信側設備はアクセスネットワーク設備で、前記送信側設備は端末であることを特徴とする請求項６から請求項９のいずれか一項に記載の方法。
【請求項１１】
ビーム選択装置であって、
送信側設備によって送信された少なくとも１組のビーム対応情報を受信するために用いられ、ここで、各組の前記ビーム対応情報が１つの第１のビームと少なくとも１つの第２のビームとの間の対応関係を含む受信ユニットと、
前記少なくとも１組のビーム対応情報にしたがって、前記送信側設備によって送信された各ビームから受信ビームを選択するために用いられる処理ユニットとを含むことを特徴とするビーム選択装置。
【請求項１２】
前記第１のビームと前記少なくとも１つの第２のビームとの間の対応関係は、
前記第１のビームのビームＩＤと前記少なくとも１つの第２のビームのビームＩＤとの間の対応関係、
前記第１のビームに対応する物理リソースと前記少なくとも１つの第２のビームのそれぞれに対応する物理リソースとの間の対応関係、および、
前記第１のビームに対応する基準信号と前記少なくとも１つの第２のビームのそれぞれに対応する基準信号との間の対応関係のうち少なくとも１つを含むことを特徴とする請求項１１に記載の装置。
【請求項１３】
前記基準信号は、
対応するビームが伝送したアップリンク物理チャネルに使用される復調基準信号ＤＭＲＳ、および、対応するビームが伝送したアップリンク物理チャネルに使用されるチャネルサウンディング基準信号ＳＲＳのうち少なくとも１つを含み、
あるいは、
対応するビームが伝送したダウンリンク物理チャネルに使用される復調基準信号ＤＭＲＳ、対応するビームのビーム基準信号ｂｅａｍ  ｓｐｅｃｉｆｉｃ  ＲＳ、および、対応するビームのチャネル状態情報基準信号ＣＳＩ−ＲＳのうち少なくとも１つを含むことを特徴とする請求項１２に記載の装置。
【請求項１４】
前記受信ユニットは、具体的には、前記送信側設備から専用シグナリングまたはブロードキャストシグナリングを介して送信された前記少なくとも１組のビーム対応情報を受信するために用いられることを特徴とする請求項１１から請求項１３のいずれか一項に記載の装置。
【請求項１５】
前記受信側設備は端末で、前記送信側設備はアクセスネットワーク設備であり、
あるいは、
前記受信側設備はアクセスネットワーク設備で、前記送信側設備は端末であることを特徴とする請求項１１から請求項１４のいずれか一項に記載の装置。
【請求項１６】
ビーム選択装置であって、
少なくとも１組のビーム対応情報を生成するために用いられ、ここで、各組の前記ビーム対応情報が１つの第１のビームと少なくとも１つの第２のビームとの間の対応関係を含む処理ユニットと、
受信側設備が前記少なくとも１組のビーム対応情報にしたがって、前記送信側設備によって送信された各ビームから受信ビームを選択するように、前記受信側設備に前記少なくとも１組のビーム情報を送信するために用いられる送信ユニットとを含むことを特徴とするビーム選択装置。
【請求項１７】
前記第１のビームと前記少なくとも１つの第２のビームとの間の対応関係は、
前記第１のビームのビームＩＤと前記少なくとも１つの第２のビームのビームＩＤとの間の対応関係、
前記第１のビームに対応する物理リソースと前記少なくとも１つの第２のビームのそれぞれに対応する物理リソースとの間の対応関係、および、
前記第１のビームに対応する基準信号と前記少なくとも１つの第２のビームのそれぞれに対応する基準信号との間の対応関係のうち少なくとも１つを含むことを特徴とする請求項１６に記載の装置。
【請求項１８】
前記基準信号は、
対応するビームが伝送したアップリンク物理チャネルに使用される復調基準信号ＤＭＲＳ、および、対応するビームが伝送したアップリンク物理チャネルに使用されるチャネルサウンディング基準信号ＳＲＳのうち少なくとも１つを含み、
あるいは、
対応するビームが伝送したダウンリンク物理チャネルに使用される復調基準信号ＤＭＲＳ、対応するビームのビーム基準信号ｂｅａｍ  ｓｐｅｃｉｆｉｃ  ＲＳ、および、対応するビームのチャネル状態情報基準信号ＣＳＩ−ＲＳのうち少なくとも１つを含むことを特徴とする請求項１７に記載の装置。
【請求項１９】
前記送信ユニットは、具体的には、専用シグナリングまたはブロードキャストシグナリングを介して前記受信側設備に前記少なくとも１組のビーム対応情報を送信するために用いられることを特徴とする請求項１６から請求項１８のいずれか一項に記載の装置。
【請求項２０】
前記受信側設備は端末で、前記送信側設備はアクセスネットワーク設備であり、
あるいは、
前記受信側設備はアクセスネットワーク設備で、前記送信側設備は端末であることを特徴とする請求項１６から請求項１９のいずれか一項に記載の装置。
【請求項２１】
受信側設備であって、
送信側設備によって送信された少なくとも１組のビーム対応情報を受信するために用いられ、ここで、各組の前記ビーム対応情報が１つの第１のビームと少なくとも１つの第２のビームとの間の対応関係を含む受信機と、
前記少なくとも１組のビーム対応情報にしたがって、前記送信側設備によって送信された各ビームから受信ビームを選択するために用いられるプロセッサとを含むことを特徴とする受信側設備。
【請求項２２】
前記第１のビームと前記少なくとも１つの第２のビームとの間の対応関係は、
前記第１のビームのビームＩＤと前記少なくとも１つの第２のビームのビームＩＤとの間の対応関係、
前記第１のビームに対応する物理リソースと前記少なくとも１つの第２のビームのそれぞれに対応する物理リソースとの間の対応関係、および、
前記第１のビームに対応する基準信号と前記少なくとも１つの第２のビームのそれぞれに対応する基準信号との間の対応関係のうち少なくとも１つを含むことを特徴とする請求項２１に記載の設備。
【請求項２３】
前記基準信号は、
対応するビームが伝送したアップリンク物理チャネルに使用される復調基準信号ＤＭＲＳ、および、対応するビームが伝送したアップリンク物理チャネルに使用されるチャネルサウンディング基準信号ＳＲＳのうち少なくとも１つを含み、
あるいは、
対応するビームが伝送したダウンリンク物理チャネルに使用される復調基準信号ＤＭＲＳ、対応するビームのビーム基準信号ｂｅａｍ  ｓｐｅｃｉｆｉｃ  ＲＳ、および、対応するビームのチャネル状態情報基準信号ＣＳＩ−ＲＳのうち少なくとも１つを含むことを特徴とする請求項２２に記載の設備。
【請求項２４】
前記受信機は、具体的には、前記送信側設備から専用シグナリングまたはブロードキャストシグナリングを介して送信された前記少なくとも１組のビーム対応情報を受信するために用いられることを特徴とする請求項２１から請求項２３のいずれか一項に記載の設備。
【請求項２５】
前記受信側設備は端末で、前記送信側設備はアクセスネットワーク設備であり、
あるいは、
前記受信側設備はアクセスネットワーク設備で、前記送信側設備は端末であることを特徴とする請求項２１から請求項２４のいずれか一項に記載の設備。
【請求項２６】
ビーム選択設備であって、
少なくとも１組のビーム対応情報を生成するために用いられ、ここで、各組の前記ビーム対応情報が１つの第１のビームと少なくとも１つの第２のビームとの間の対応関係を含むプロセッサと、
受信側設備が前記少なくとも１組のビーム対応情報にしたがって、前記送信側設備によって送信された各ビームから受信ビームを選択するように、前記受信側設備に前記少なくとも１組のビーム情報を送信するために用いられる送信機とを含むことを特徴とするビーム選択設備。
【請求項２７】
前記第１のビームと前記少なくとも１つの第２のビームとの間の対応関係は、
前記第１のビームのビームＩＤと前記少なくとも１つの第２のビームのビームＩＤとの間の対応関係、
前記第１のビームに対応する物理リソースと前記少なくとも１つの第２のビームのそれぞれに対応する物理リソースとの間の対応関係、
および、
前記第１のビームに対応する基準信号と前記少なくとも１つの第２のビームのそれぞれに対応する基準信号との間の対応関係のうち少なくとも１つを含むことを特徴とする請求項２６に記載の設備。
【請求項２８】
前記基準信号は、
対応するビームが伝送したアップリンク物理チャネルに使用される復調基準信号ＤＭＲＳ、および、対応するビームが伝送したアップリンク物理チャネルに使用されるチャネルサウンディング基準信号ＳＲＳのうち少なくとも１つを含み、
あるいは、
対応するビームが伝送したダウンリンク物理チャネルに使用される復調基準信号ＤＭＲＳ、対応するビームのビーム基準信号ｂｅａｍ  ｓｐｅｃｉｆｉｃ  ＲＳ、および、対応するビームのチャネル状態情報基準信号ＣＳＩ−ＲＳのうち少なくとも１つを含むことを特徴とする請求項２７に記載の設備。
【請求項２９】
前記送信機は、具体的には、専用シグナリングまたはブロードキャストシグナリングを介して前記受信側設備に前記少なくとも１組のビーム対応情報を送信するために用いられることを特徴とする請求項２６から請求項２８のいずれか一項に記載の設備。
【請求項３０】
前記受信側設備は端末で、前記送信側設備はアクセスネットワーク設備であり、
あるいは、
前記受信側設備はアクセスネットワーク設備で、前記送信側設備は端末であることを特徴とする請求項２６から請求項２９のいずれか一項に記載の設備。
【請求項３１】
ビーム選択システムであって、
請求項１１から請求項１５のいずれか一項に記載のビーム選択装置を含む受信側設備と、
請求項１６から請求項２０のいずれか一項に記載のビーム選択装置を含む送信側設備とを含むことを特徴とするビーム選択システム。
【請求項３２】
ビーム選択システムであって、
請求項２１から請求項２５のいずれか一項に記載の受信側設備である受信側設備と、
請求項２６から請求項３０のいずれか一項に記載の送信側設備である送信側設備とを含むことを特徴とするビーム選択システム。
【手続補正３】
【補正対象書類名】図面
【補正対象項目名】全図
【補正方法】変更
【補正の内容】
【図１】
2020504520.tif 000001
【図２】
2020504520.tif 000002
【図３】
2020504520.tif 000003
【図４】
2020504520.tif 000004
【図５】
2020504520.tif 000005
【図６】
2020504520.tif 000006
【図７】
2020504520.tif 000007
【図８】
2020504520.tif 000008
【図９】
2020504520.tif 000009
【図１０】
2020504520.tif 000010
【図１１】
2020504520.tif 000011
【図１２】
2020504520.tif 000012
【図１３】
2020504520.tif 000013
【図１４】
2020504520.tif 000014
【図１５】
2020504520.tif 000015
【図１６】
2020504520.tif 000016